(57)【要約】  異なるスケジューリング遅延の仮説間で移行するためのシステム及び方法が、本明細書に開示される。一部の実施形態では、ワイヤレスデバイスによって実施される方法は、第１のスロットの間、第１の値以上である第１のスケジューリング遅延の仮説を用いてワイヤレスデバイスへの送信をスケジューリングするダウンリンク制御情報を含むダウンリンク制御チャネルを監視することを含む。方法はさらに、ワイヤレスデバイスが第１のスケジューリング遅延の仮説から、第１の値よりも小さい第２の値以上である第２のスケジューリング遅延の仮説に切り替わると判定することを含む。方法はさらに、第１のスロット後に来る１つ又は複数の後のスロットの間、第２のスケジューリング遅延の仮説を用いてワイヤレスデバイスへの送信をスケジューリングするダウンリンク制御情報を含むダウンリンク制御チャネルを監視することを含む。【選択図】図７
2022502946.tif 000002
【特許請求の範囲】
【請求項１】
ワイヤレスデバイスによって実施される方法であって、
第１のスロットの間、第１の値以上である第１のスケジューリング遅延の仮説を用いて前記ワイヤレスデバイスへの送信をスケジューリングするダウンリンク制御情報を含むダウンリンク制御チャネルを監視すること（５００；９０２；１１０２）と、
前記ワイヤレスデバイスが、前記第１のスケジューリング遅延の前記仮説から、前記第１の値よりも小さい第２の値以上である第２のスケジューリング遅延の仮説に切り替わると判定すること（５０２のはい；９０４；１１０４）と、
前記第１のスロット後に来る１つ又は複数の後のスロットの間、前記第２のスケジューリング遅延の前記仮説を用いて前記ワイヤレスデバイスへの送信をスケジューリングするダウンリンク制御情報を含むダウンリンク制御チャネルを監視すること（５０６；９０６；１１０６）と、を含む、方法。
【請求項２】
前記第１のスケジューリング遅延の前記仮説を用いて前記ワイヤレスデバイスへの送信をスケジューリングするダウンリンク制御情報を含むダウンリンク制御チャネルを監視すること（５００；９０２；１１０２）が、特定の検索空間における前記第１のスケジューリング遅延の前記仮説を用いて前記ワイヤレスデバイスへの送信をスケジューリングするダウンリンク制御情報を含むダウンリンク制御チャネルを監視すること（５００；９０２；１１０２）を含み、
前記第２のスケジューリング遅延の前記仮説を用いて前記ワイヤレスデバイスへの送信をスケジューリングするダウンリンク制御情報を含むダウンリンク制御チャネルを監視すること（５０６；９０６；１１０６）が、前記特定の検索空間における前記第２のスケジューリング遅延の前記仮説を用いて前記ワイヤレスデバイスへの送信をスケジューリングするダウンリンク制御情報を含むダウンリンク制御チャネルを監視すること（５０６；９０６；１１０６）を含む、請求項１に記載の方法。
【請求項３】
前記第１のスケジューリング遅延の前記仮説を用いて前記ワイヤレスデバイスへの送信をスケジューリングするダウンリンク制御情報を含むダウンリンク制御チャネルを監視すること（５００；９０２；１１０２）が、第１の検索空間における前記第１のスケジューリング遅延の前記仮説を用いて前記ワイヤレスデバイスへの送信をスケジューリングするダウンリンク制御情報を含むダウンリンク制御チャネルを監視すること（５００；９０２；１１０２）を含み、
前記第２のスケジューリング遅延の前記仮説を用いて前記ワイヤレスデバイスへの送信をスケジューリングするダウンリンク制御情報を含むダウンリンク制御チャネルを監視すること（５０６；９０６；１１０６）が、前記第１の検索空間とは異なる第２の検索空間における前記第２のスケジューリング遅延の前記仮説を用いて前記ワイヤレスデバイスへの送信をスケジューリングするダウンリンク制御情報を含むダウンリンク制御チャネルを監視すること（５０６；９０６；１１０６）を含む、請求項１に記載の方法。
【請求項４】
前記第１の検索空間が第１の帯域幅と関連付けられ、前記第２の検索空間が第２の帯域幅と関連付けられ、前記第１の帯域幅が前記第２の帯域幅よりも小さい、請求項３に記載の方法。
【請求項５】
前記ワイヤレスデバイスが前記第１のスケジューリング遅延の前記仮説から前記第２のスケジューリング遅延の前記仮説に切り替わると判定すること（５０２のはい；９０４；１１０４）が、ネットワークノードからの明示的又は暗示的な指示に応答して、前記ワイヤレスデバイスが前記第１のスケジューリング遅延の前記仮説から前記第２のスケジューリング遅延の前記仮説に切り替わると判定すること（５０２のはい；９０４；１１０４）を含む、請求項１から４のいずれか一項に記載の方法。
【請求項６】
前記明示的又は暗示的な指示が、前記ネットワークノードからのダウンリンク制御情報に含まれる明示的な指示である、請求項５に記載の方法。
【請求項７】
前記第１のスロットの間、前記第１のスケジューリング遅延の前記仮説を用いて前記ワイヤレスデバイスへの送信をスケジューリングするダウンリンク制御情報を含むダウンリンク制御チャネルを監視すること（５００；９０２；１１０２）が、前記第１のスロットの間、前記ワイヤレスデバイスが前記第１のスケジューリング遅延と関連付けられた第１の出力モードで動作している状態で、前記第１のスケジューリング遅延の前記仮説を用いて前記ワイヤレスデバイスへの送信をスケジューリングするダウンリンク制御情報を含むダウンリンク制御チャネルを監視すること（５００；９０２；１１０２）を含み、
前記ワイヤレスデバイスが前記第１のスケジューリング遅延の前記仮説から前記第２のスケジューリング遅延の前記仮説に切り替わると判定すること（５０２のはい；９０４；１１０４）が、前記第１の出力モードから前記第２のスケジューリング遅延と関連付けられた第２の出力モードに移行すること（９０４；１１０４）を含む、請求項１から４のいずれか一項に記載の方法。
【請求項８】
前記第１の出力モードから前記第２のスケジューリング遅延と関連付けられた前記第２の出力モードに移行すること（９０４；１１０４）が、ネットワークノードからのダウンリンク制御情報に含まれる指示に応答して、前記第１の出力モードから前記第２のスケジューリング遅延と関連付けられた第２の出力モードに移行すること（９０４；１１０４）を含む、請求項７に記載の方法。
【請求項９】
前記第１の出力モードから前記第２のスケジューリング遅延と関連付けられた前記第２の出力モードに移行すること（９０４；１１０４）が、前記第１のスロットで検出されたダウンリンク制御チャネルに含まれるダウンリンク制御情報によってスケジューリングされた送信に対して、ハイブリッド自動再送要求（Ｈｙｂｒｉｄ  Ａｕｔｏｍａｔｉｃ  Ｒｅｐｅａｔ  Ｒｅｑｕｅｓｔ：ＨＡＲＱ）肯定応答（Ａｃｋｎｏｗｌｅｄｇｅｍｅｎｔ：ＡＣＫ）を送出すると、前記第１の出力モードから前記第２のスケジューリング遅延と関連付けられた第２の出力モードに移行すること（９０４；１１０４）を含む、請求項７に記載の方法。
【請求項１０】
前記第１の出力モードから前記第２のスケジューリング遅延と関連付けられた前記第２の出力モードに移行すること（９０４；１１０４）が、タイマーが時間切れになると、前記第１の出力モードから前記第２のスケジューリング遅延と関連付けられた第２の出力モードに移行すること（９０４；１１０４）を含む、請求項７に記載の方法。
【請求項１１】
前記タイマーの時間切れが、ダウンリンク制御チャネルを受信しないことに依存する、請求項１０に記載の方法。
【請求項１２】
前記タイマーの時間切れが、設定された監視オケージョンの回数においてダウンリンク制御チャネルを受信しないことに依存する、請求項１０に記載の方法。
【請求項１３】
前記第１の出力モードが省電力モード（Ｐｏｗｅｒ  Ｓａｖｉｎｇｓ  Ｍｏｄｅ：ＰＳＭ）であり、前記第２の出力モードが非ＰＳＭであるか、又は、
前記第１の出力モードが非ＰＳＭであり、前記第２の出力モードがＰＳＭである、請求項７から１２のいずれか一項に記載の方法。
【請求項１４】
前記ＰＳＭが、クロススロットスケジューリングのみが使用されるモードであり、前記非ＰＳＭが、同一スロットスケジューリングを使用することができるモードである、請求項１３に記載の方法。
【請求項１５】
前記第１の値が、１つのスロット以上の値に対応する値である、請求項７から１４のいずれか一項に記載の方法。
【請求項１６】
前記第２の値が、ゼロスロットの値に対応する値である、請求項１５に記載の方法。
【請求項１７】
前記ワイヤレスデバイスが前記第１のスケジューリング遅延の前記仮説から前記第２のスケジューリング遅延の前記仮説に切り替わると判定すること（９０４；１１０４）が、前記第１のスロットで検出されたダウンリンク制御チャネルに含まれるダウンリンク制御情報によってスケジューリングされた送信に対して、ハイブリッド自動再送要求（ＨＡＲＱ）肯定応答（ＡＣＫ）を送出すると、前記ワイヤレスデバイスが前記第１のスケジューリング遅延の前記仮説から前記第２のスケジューリング遅延の前記仮説に切り替わると判定すること（９０４；１１０４）を含む、請求項１から４のいずれか一項に記載の方法。
【請求項１８】
前記ワイヤレスデバイスが前記第１のスケジューリング遅延の前記仮説から前記第２のスケジューリング遅延の前記仮説に切り替わると判定すること（９０４；１１０４）が、タイマーが時間切れになると、前記ワイヤレスデバイスが前記第１のスケジューリング遅延の前記仮説から前記第２のスケジューリング遅延の前記仮説に切り替わると判定すること（９０４；１１０４）を含む、請求項１から４のいずれか一項に記載の方法。
【請求項１９】
前記タイマーの時間切れが、設定された監視オケージョンの回数においてダウンリンク制御チャネルを受信しないことに依存する、請求項１８に記載の方法。
【請求項２０】
前記第１の値が、１つのスロット以上の値に対応する値である、請求項１に記載の方法。
【請求項２１】
前記第１の値が、物理ダウンリンク共有チャネルのニューメロロジーのみ、又は物理ダウンリンク制御チャネル及び物理ダウンリンク共有チャネルのニューメロロジーに依存する、ワイヤレスデバイスの指示に基づいて決定される値である、請求項２０に記載の方法。
【請求項２２】
前記第２の値が、ゼロスロットの値に対応する値である、請求項２０に記載の方法。
【請求項２３】
前記第１のスロットの前記ダウンリンク制御チャネルで検出されたダウンリンクスケジューリングが、前記第１の値を超える前記第１のスケジューリング遅延を用いて前記ワイヤレスデバイスへのダウンリンク送信をスケジューリングするという仮説に基づいて、前記ダウンリンク制御チャネルを監視していない前記第１のスロットの間、低出力モードで動作することをさらに含む、請求項２０又は２２に記載の方法。
【請求項２４】
前記第１のスロットの間、前記ダウンリンク制御チャネルを監視すること（５００；９０２；１１０２）が、前記第１のスロットの開始部分において前記ダウンリンク制御チャネルを監視すること（５００；９０２；１１０２）を含み、前記方法がさらに、
前記第１のスケジューリング遅延の前記仮説に基づいて、前記ダウンリンク制御チャネルがその間監視される、前記第１のスロットの前記開始部分の終わりに始まる前記第１のスロットの間、低出力モードで動作することを含む、請求項２０又は２２に記載の方法。
【請求項２５】
前記ワイヤレスデバイスが前記第１のスケジューリング遅延の前記仮説から前記第２のスケジューリング遅延の前記仮説に切り替わると判定すること（５０２のはい；９０４；１１０４）が、前記ワイヤレスデバイスへの送信をスケジューリングするダウンリンク制御情報を含むダウンリンク制御チャネルが、前記第１のスロットの間に検出されると判定すること（５０２）を含む、請求項１から２２のいずれか一項に記載の方法。
【請求項２６】
前記１つ又は複数の後のスロットが、前記第１のスロット直後の第２のスロットを含む、請求項２５に記載の方法。
【請求項２７】
前記１つ又は複数の後のスロットが、前記第１のスロットで検出された前記ダウンリンク制御チャネルに含まれる前記ダウンリンク制御情報によってスケジューリングされた前記送信に対して、前記ワイヤレスデバイスがハイブリッド自動再送要求（ＨＡＲＱ）応答を送出するスロットの後に来る、請求項２５に記載の方法。
【請求項２８】
前記１つ又は複数の後のスロットが、前記第１のスロットで検出された前記ダウンリンク制御チャネルに含まれる前記ダウンリンク制御情報によってスケジューリングされた前記送信に対して、前記ワイヤレスデバイスがハイブリッド自動再送要求（ＨＡＲＱ）肯定応答（ＡＣＫ）を送出するスロットの後に来る、請求項２５に記載の方法。
【請求項２９】
前記１つ又は複数の後のスロットが、前記第２のスケジュール遅延に従って前記ワイヤレスデバイスへの送信をスケジューリングするダウンリンク制御情報を含む別のダウンリンク制御チャネルを前記ワイヤレスデバイスが検出するスロットの後に来る、請求項２５に記載の方法。
【請求項３０】
前記第１のスロットの後であって前記１つ又は複数の後のスロットよりも前の１つ又は複数の後続のスロットにおいて、前記第１のスケジューリング遅延の前記仮説を用いて前記ワイヤレスデバイスへの送信をスケジューリングするダウンリンク制御情報を含むダウンリンク制御チャネルを監視すること（５０８；５１０）をさらに含む、請求項２７から２９のいずれか一項に記載の方法。
【請求項３１】
前記第１のスロットが間欠受信（Ｄｉｓｃｏｎｔｉｎｕｏｕｓ  Ｒｅｃｅｐｔｉｏｎ：ＤＲＸ）Ｏｎ  Ｄｕｒａｔｉｏｎの間であり、前記１つ又は複数の後のスロットが、前記ＤＲＸ  Ｏｎ  Ｄｕｒａｔｉｏｎにおける前記第１のスロットの後に来るすべてのスロットである、請求項２５に記載の方法。
【請求項３２】
前記第１のスロットが間欠受信（ＤＲＸ）Ｏｎ  Ｄｕｒａｔｉｏｎの間であり、前記１つ又は複数の後のスロットが、前記ＤＲＸ  Ｏｎ  Ｄｕｒａｔｉｏｎにおける前記第１のスロットの後に来る既定数のスロットである、請求項２５に記載の方法。
【請求項３３】
前記第１のスケジューリング遅延の前記仮説を用いて、又は前記第１のスケジューリング遅延の前記仮説及び前記第２のスケジューリング遅延の前記仮説の両方を用いて、前記ワイヤレスデバイスへの送信をスケジューリングするダウンリンク制御情報を含むダウンリンク制御チャネルの監視に切り替えること（５１２）をさらに含む、請求項２５から３２のいずれか一項に記載の方法。
【請求項３４】
ワイヤレスデバイス（１５１０）であって、
無線フロントエンド回路（１５１２）と、
前記無線フロントエンド回路（１５１２）と関連付けられた処理回路（１５２０）とを備え、前記処理回路（１５２０）が、前記ワイヤレスデバイス（１５１０）に、
第１のスロットの間、第１の値以上である第１のスケジューリング遅延の仮説を用いて前記ワイヤレスデバイス（１５１０）への送信をスケジューリングするダウンリンク制御情報を含むダウンリンク制御チャネルを監視させ（５００；９０２；１１０２）、
前記ワイヤレスデバイス（１５１０）が前記第１のスケジューリング遅延の前記仮説から、前記第１の値よりも小さい第２の値以上である第２のスケジューリング遅延の仮説に切り替わると判定させ（５０２のはい；９０４；１１０４）、
前記第１のスロット後に起こる１つ又は複数の後のスロットの間、前記第２のスケジューリング遅延の前記仮説を用いて前記ワイヤレスデバイス（１５１０）への送信をスケジューリングするダウンリンク制御情報を含むダウンリンク制御チャネルを監視させる（５０６；９０６；１１０６）ように設定される、ワイヤレスデバイス（１５１０）。
【請求項３５】
前記ワイヤレスデバイス（１５１０）に、前記ワイヤレスデバイス（１５１０）が前記第１のスケジューリング遅延の前記仮説から前記第２のスケジューリング遅延の前記仮説に切り替わると判定させるために、前記処理回路（１５２０）がさらに、ネットワークノードからの明示的又は暗示的な指示に応答して、前記ワイヤレスデバイス（１５１０）に、前記ワイヤレスデバイス（１５１０）が前記第１のスケジューリング遅延の前記仮説から前記第２のスケジューリング遅延の前記仮説に切り替わると判定させる（５０２のはい；９０４；１１０４）ように設定される、請求項３４に記載のワイヤレスデバイス（１５１０）。
【請求項３６】
前記明示的又は暗示的な指示が、前記ネットワークノードからのダウンリンク制御情報に含まれる明示的な指示である、請求項３５に記載のワイヤレスデバイス（１５１０）。
【請求項３７】
前記処理回路（１５２０）がさらに、前記第１のスロットの間、前記ワイヤレスデバイス（１５１０）が前記第１のスケジューリング遅延と関連付けられた第１の出力モードで動作している状態で、前記第１のスケジューリング遅延の前記仮説を用いて前記ワイヤレスデバイス（１５１０）への送信をスケジューリングするダウンリンク制御情報を含むダウンリンク制御チャネルを、前記ワイヤレスデバイス（１５１０）に監視させる（５００；９０２；１１０２）ように設定され、
前記ワイヤレスデバイス（１５１０）に、前記ワイヤレスデバイス（１５１０）が前記第１のスケジューリング遅延の前記仮説から前記第２のスケジューリング遅延の前記仮説に切り替わると判定させるために、前記処理回路（１５２０）がさらに、前記第１の出力モードから前記第２のスケジューリング遅延と関連付けられた第２の出力モードに、前記ワイヤレスデバイス（１５１０）を移行させる（９０４；１１０４）ように設定される、請求項３４に記載のワイヤレスデバイス（１５１０）。
【請求項３８】
前記処理回路（１５２０）がさらに、ネットワークノードからのダウンリンク制御情報に含まれる指示に応答して、前記第１の出力モードから前記第２の出力モードに、前記ワイヤレスデバイス（１５１０）を移行させる（９０４；１１０４）ように設定される、請求項３７に記載のワイヤレスデバイス（１５１０）。
【発明の詳細な説明】
【技術分野】
【０００１】
関連出願
本出願は、２０１８年９月２８日付けの米国仮特許出願第６２／７３８，７４２号の利益を主張し、その開示の全体を参照により本明細書に組み込む。
【０００２】
本開示は、ワイヤレス通信システムに関し、特に、ワイヤレス通信システムにおけるクロススロットスケジューリングに関する。
【背景技術】
【０００３】
第３世代パートナーシッププロジェクト（３ＧＰＰ）第５世代（５Ｇ）新無線（ＮＲ）は、拡張モバイルブロードバンド（ｅＭＢＢ）、超高信頼低遅延通信（ＵＲＬＬＣ）、及びマシンタイプ通信（ＭＴＣ）などのサービスを含む。これらのサービスはそれぞれ異なる技術要件を有する。たとえば、ｅＭＢＢの一般的要件は、中程度のレイテンシ及び中程度のカバレッジでの高データレートであり、ＵＲＬＬＣサービスの要件は、低レイテンシ及び高信頼送信である一方、中程度のデータレートに対する許容度が高い。
【０００４】
低レイテンシデータ送信に対する解決策の１つは、送信時間間隔がより短いことである。スロット単位の送信に加えて、ＮＲは、レイテンシを低減するミニスロット送信を含む。ミニスロットは、１から１４のうち任意の数の直交周波数分割多重（ＯＦＤＭ）シンボルで構成されてもよい。スロット及びミニスロットの概念は、特定のサービスに固有のものではなく、つまりミニスロットは、ｅＭＢＢ、ＵＲＬＬＣ、又は他のサービスのいずれでも使用されることがある。図１は、ＮＲにおける例示的な無線リソースを示している。
【０００５】
ユーザ機器（ＵＥ）の消費電力は、拡張する必要がある重要な指標である。一般に、ＬＴＥフィールドログからのある間欠受信（ＤＲＸ）設定に基づいて、ロングタームエボリューション（ＬＴＥ）における物理ダウンリンク制御チャネル（ＰＤＣＣＨ）を監視するのに著しい電力が消費される場合がある。トラフィックモデリングを含む類似のＤＲＸ設定が使用される場合、ＵＥにＰＤＣＣＨが送出されるか否かを識別するのに、ＵＥがその設定された制御リソースセット（ＣＯＲＥＳＥＴ）でブラインド検出を実施する必要があるので、ＮＲは類似している。不必要なＰＤＣＣＨ監視を低減するか、又はＵＥが必要なときのみスリープ状態に入るか若しくは起動することができるようにする技術が、有益であり得る。
【０００６】
３ＧＰＰ  ５Ｇ  ＮＲでは、ＵＥは、ダウンリンクに最大４つのキャリア帯域幅部分（ＢＷＰ）を有して設定することができ、単一のダウンリンクキャリア帯域幅部分が所与の時間にアクティブである。ＵＥは、アップリンクに最大４つのキャリアＢＷＰを有して設定することができ、単一のアップリンクキャリアＢＷＰが所与の時間にアクティブである。ＵＥが付加アップリンクを有して設定された場合、ＵＥはさらに、付加アップリンクに最大４つのキャリアＢＷＰを有して設定することができ、単一の付加アップリンクキャリアＢＷＰが所与の時間にアクティブである。
【０００７】
所与のニューメロロジーμｉを有するキャリアＢＷＰの場合、物理リソースブロック（ＰＲＢ）の連続セットが規定され、０から
2022502946.tif 000003
まで番号を付される（ここで、ｉはキャリアＢＷＰのインデックスである）。リソースブロック（ＲＢ）は、周波数ドメイン内の１２の連続サブキャリアとして規定される。
【０００８】
ＮＲは、下記の表１によって与えられるように複数のＯＦＤＭニューメロロジーμに対応し、サブキャリア間隔Δｆ、及びキャリアＢＷＰのサイクリックプレフィックスは、ダウンリンク（ＤＬ）及びアップリンク（ＵＬ）それぞれの異なる高次レイヤパラメータによって設定される。
2022502946.tif 000004
【０００９】
ダウンリンク物理チャネルは、高次レイヤからの情報を保持する一連のリソースエレメントに対応する。ダウンリンク物理チャネルは、物理ダウンリンク共有チャネル（ＰＤＳＣＨ）、物理ブロードキャストチャネル（ＰＢＣＨ）、及びＰＤＣＣＨを含む。ＰＤＳＣＨは、ユニキャストダウンリンクデータ送信に使用される主要物理チャネルであるが、ランダムアクセス応答（ＲＡＲ）、特定のシステム情報ブロック、及びページング情報の送信にも使用される。ＰＢＣＨは、ＵＥがネットワークにアクセスするのに必要な基本システム情報を保持する。ＰＤＣＣＨは、ＰＤＳＣＨの受信、及び物理アップリンク共有チャネル（ＰＵＳＣＨ）上での送信を可能にするアップリンクスケジューリンググラントに必要な、ダウンリンク制御情報（ＤＣＩ）、主にスケジューリングの決定を送信するのに使用される。
【００１０】
アップリンク物理チャネルは、高次レイヤからの情報を保持する一連のリソースエレメントに対応する。アップリンク物理チャネルは、ＰＵＳＣＨ、物理アップリンク制御チャネル（ＰＵＣＣＨ）、及び物理ランダムアクセスチャネル（ＰＲＡＣＨ）を含む。ＰＵＳＣＨは、ＰＤＳＣＨに対するアップリンクの相手方である。ＰＵＣＣＨは、ハイブリッド自動再送要求（ＨＡＲＱ）肯定応答、チャネル状態情報報告などを含む、アップリンク制御情報を送信するのに、ＵＥによって使用される。ＰＲＡＣＨは、ランダムアクセスプリアンブル送信に使用される。
【００１１】
ＤＬ  ＤＣＩ  １＿０（即ち、ＤＣＩフォーマット１＿０）の内容例を以下に示す。巡回冗長検査（ＣＲＣ）は、セル無線ネットワーク一時識別子（Ｃ−ＲＮＴＩ）又は設定されたスケジューリング無線ネットワーク一時識別子（ＣＳ−ＲＮＴＩ）によってスクランブルされる。ＤＬ  ＤＣＩ  １＿０の内容例は次の通りである。
・ＤＣＩフォーマットの識別子  １ビット。このビットフィールドの値は常に１にセットされて、ＤＬ  ＤＣＩフォーマットを示す。
・周波数ドメインリソース割当て
2022502946.tif 000005
ビット。
2022502946.tif 000006
は、ＤＣＩフォーマット１＿０がＵＥ固有の検索空間で監視されており、監視するように設定された異なるＤＣＩサイズの総数がセルに対して４つ以下であり、監視するように設定されたＣ−ＲＮＴＩを含む異なるＤＣＩサイズの総数がセルに対して３つ以下であるという条件を満たす場合、アクティブなＤＬ  ＢＷＰのサイズであり、そうでなければ、
2022502946.tif 000007
がＣＯＲＥＳＥＴ  ０のサイズである。
・時間ドメインリソース割当て  ３ＧＰＰ技術仕様書（ＴＳ）３８．２１４の従属項５．１．２．１に規定されているように、４ビット
・仮想リソースブロック（ＶＲＢ）−ｔｏ−ＰＲＢマッピング  ３ＧＰＰ  ＴＳ  ３８．２１２の表７．３．１．１．２−３３に従って、１ビット
・変調符号化方式  ３ＧＰＰ  ＴＳ  ３８．２１４の従属項５．１．３に規定されているように、５ビット
・新しいデータインジケータ  １ビット
・冗長バージョン  ３ＧＰＰ  ＴＳ  ３８．２１２の表７．３．１．１．１−２に規定されているように、２ビット
・ＨＡＲＱプロセス番号  ４ビット
・ダウンリンク割当てインデックス（ＤＡＩ）  ３ＧＰＰ  ＴＳ  ３８．２１３の従属項９．１．３にカウンタＤＡＩとして規定されているように、２ビット
・スケジューリングされたＰＵＣＣＨの送信電力制御（ＴＰＣ）コマンド  ３ＧＰＰ  ＴＳ  ３８．２１３の従属項７．２．１に規定されているように、２ビット
・ＰＵＣＣＨリソースインジケータ  ３ＧＰＰ  ＴＳ  ３８．２１３の従属項９．２．３に規定されているように、３ビット
・ＰＤＳＣＨ−ｔｏ−ＨＡＲＱ＿フィードバックタイミングインジケータ  ３ＧＰＰ  ＴＳ  ３８．２１３の従属項９．２．３に規定されているように、３ビット
【００１２】
ＤＲＸは、図２の単純化したＤＲＸ動作に示されるように、ＵＥが基地局からの何らかの送信を受信することが要求されていないとき、ＵＥが低出力状態から移行することを可能にする。ＵＥが起動しておりＰＤＣＣＨを監視する、「ｏｎＤｕｒａｔｉｏｎ」というものがある。ＵＥによってＰＤＣＣＨが検出されない場合、非アクティビティタイマーが始動する。ＵＥは、ＵＥに対してアドレスされた有効なＰＤＣＣＨが受信されるか、又は非アクティビティタイマーが時間切れになるまで、ＰＤＣＣＨを監視し続ける。ＵＥが有効なＰＤＣＣＨを受信した場合、ＵＥは非アクティビティタイマーを延長し、ＰＤＣＣＨを監視し続ける。非アクティビティタイマーが時間切れになった場合、ＵＥは、ＤＲＸサイクルの終わりまで、基地局からの送信を受信するのを停止する（たとえば、制御監視なし）ことができる。一般的に、ＤＲＸパラメータは無線リソース制御（ＲＲＣ）によって設定される。上述したものに加えて、たとえば、ラウンドトリップタイム（ＲＴＴ）関連パラメータ、ＨＡＲＱ関連パラメータなど、他のいくつかのパラメータがＲＲＣによって設定される。非アクティビティタイマーが稼働しているときのｏｎＤｕｒａｔｉｏｎ及び持続時間は、一般に、「アクティブ時間」とも呼ばれる。
【００１３】
概して、以下の用語は一般的にＤＲＸ動作と関連付けられる。
・アクティブ時間：アクティブ時間は、ＤＲＸ動作に関連する時間を指し、その間、媒体アクセス制御（ＭＡＣ）エンティティがＰＤＣＣＨを監視する。
・ＤＲＸサイクル：ＤＲＸサイクルは、起こり得る非アクティビティ期間に続く、ｏｎＤｕｒａｔｉｏｎの周期的繰返しを指す（図２を参照）。
・非アクティビティタイマー：非アクティビティタイマーは、一般に、ＵＥがスリープ状態に移行する前に待機するＭＡＣエンティティに対する、初期のＵＬ、ＤＬ、又はサイドリンクユーザデータ送信をＰＤＣＣＨが示すサブフレーム／スロットの後の、連続するＰＤＣＣＨサブフレーム／スロットの数を指す。
・ＭＡＣエンティティ：ＭＡＣエンティティは、媒体アクセス制御エンティティであり、設定されたセル群（たとえば、マスタセル群及びセカンダリセル群）ごとに１つのＭＡＣエンティティがある。
ＤＲＸ機能性は、一般的にはＭＡＣ又は物理（ＰＨＹ）レイヤよりも低速で動作する、ＲＲＣによって設定される。したがって、ＤＲＸパラメータ設定などは、特にＵＥのトラフィックタイプが混合タイプである場合、ＲＲＣ設定を通して高度に適応的に変更することはできない。
【発明の概要】
【００１４】
ワイヤレスデバイスにおいて、ワイヤレスデバイスが異なるスケジューリング遅延仮説を使用する、２つの動作モード間で移行するためのシステム及び方法が本明細書に開示される。ワイヤレスデバイスによって実施される方法の実施形態及びそれに対応するワイヤレスデバイスの実施形態が開示される。一部の実施形態では、ワイヤレスデバイスによって実施される方法は、第１のスロットの間、第１のスケジューリング遅延の仮説を用いてワイヤレスデバイスへの送信をスケジューリングするダウンリンク制御情報を含むダウンリンク制御チャネルを監視することを含む。第１のスケジューリング遅延は第１の値以上である。方法はさらに、ワイヤレスデバイスが第１のスケジューリング遅延の仮説から第２のスケジューリング遅延の仮説に切り替わると判定することを含む。第２のスケジューリング遅延は第２の値以上であり、第２の値は第１の値よりも小さい。方法はさらに、第１のスロット後に来る１つ又は複数の後のスロットの間、第２のスケジューリング遅延の仮説を用いてワイヤレスデバイスへの送信をスケジューリングするダウンリンク制御情報を含むダウンリンク制御チャネルを監視することを含む。このようにして、ワイヤレスデバイスは、たとえば、第２のスケジューリング遅延の仮説（たとえば、可能な同じスロットのスケジューリングを仮定する）に移行すべきであると判定する時間まで、第１のスケジューリング遅延の仮説（たとえば、クロススロットスケジューリングのみを仮定する）を用いて、ダウンリンク制御チャネルを監視することによって、出力を削減することができる。
【００１５】
一部の実施形態では、第１のスケジューリング遅延の仮説を用いてワイヤレスデバイスへの送信をスケジューリングするダウンリンク制御情報を含むダウンリンク制御チャネルを監視することは、特定の検索空間における第１のスケジューリング遅延の仮説を用いてワイヤレスデバイスへの送信をスケジューリングするダウンリンク制御情報を含むダウンリンク制御チャネルを監視することを含む。一部の実施形態では、第２のスケジューリング遅延の仮説を用いてワイヤレスデバイスへの送信をスケジューリングするダウンリンク制御情報を含むダウンリンク制御チャネルを監視することは、特定の検索空間における第２のスケジューリング遅延の仮説を用いてワイヤレスデバイスへの送信をスケジューリングするダウンリンク制御情報を含むダウンリンク制御チャネルを監視することを含む。
【００１６】
一部の実施形態では、第１のスケジューリング遅延の仮説を用いてワイヤレスデバイスへの送信をスケジューリングするダウンリンク制御情報を含むダウンリンク制御チャネルを監視することは、第１の検索空間における第１のスケジューリング遅延の仮説を用いてワイヤレスデバイスへの送信をスケジューリングするダウンリンク制御情報を含むダウンリンク制御チャネルを監視することを含む。さらに、第２のスケジューリング遅延の仮説を用いてワイヤレスデバイスへの送信をスケジューリングするダウンリンク制御情報を含むダウンリンク制御チャネルを監視することは、第１の検索空間とは異なる第２の検索空間における第２のスケジューリング遅延の仮説を用いてワイヤレスデバイスへの送信をスケジューリングするダウンリンク制御情報を含むダウンリンク制御チャネルを監視することを含む。一部の実施形態では、第１の検索空間は第１の帯域幅と関連付けられ、第２の検索空間は第２の帯域幅と関連付けられ、第１の帯域幅は第２の帯域幅よりも小さい。
【００１７】
一部の実施形態では、ワイヤレスデバイスが第１のスケジューリング遅延の仮説から第２のスケジューリング遅延の仮説に切り替わると判定することは、ネットワークノードからの明示的又は暗示的な指示に応答して、ワイヤレスデバイスが第１のスケジューリング遅延の仮説から第２のスケジューリング遅延の仮説に切り替わると判定することを含む。一部の実施形態では、明示的又は暗示的な指示は、ネットワークノードからのダウンリンク制御情報に含まれる明示的な指示である。
【００１８】
一部の実施形態では、第１のスロットの間、第１のスケジューリング遅延の仮説を用いてワイヤレスデバイスへの送信をスケジューリングするダウンリンク制御情報を含むダウンリンク制御チャネルを監視することは、第１のスロットの間、ワイヤレスデバイスが第１のスケジューリング遅延と関連付けられた第１の出力モードで動作している状態で、第１のスケジューリング遅延の仮説を用いてワイヤレスデバイスへの送信をスケジューリングするダウンリンク制御情報を含むダウンリンク制御チャネルを監視することを含む。ワイヤレスデバイスが第１のスケジューリング遅延の仮説から第２のスケジューリング遅延の仮説に切り替わると判定することは、第１の出力モードから第２のスケジューリング遅延と関連付けられた第２の出力モードに移行することを含む。一部の実施形態では、第１の出力モードから第２のスケジューリング遅延と関連付けられた第２の出力モードに移行することは、ネットワークノードからのダウンリンク制御情報に含まれる指示に応答して、第１の出力モードから第２のスケジューリング遅延と関連付けられた第２の出力モードに移行することを含む。一部の実施形態では、第１の出力モードから第２のスケジューリング遅延と関連付けられた第２の出力モードに移行することは、第１のスロットで検出されたダウンリンク制御チャネルに含まれるダウンリンク制御情報によってスケジューリングされた送信に対して、ハイブリッド自動再送要求（ＨＡＲＱ）肯定応答（ＡＣＫ）を送出すると、第１の出力モードから第２のスケジューリング遅延と関連付けられた第２の出力モードに移行することを含む。一部の実施形態では、第１の出力モードから第２のスケジューリング遅延と関連付けられた第２の出力モードに移行することは、タイマーが時間切れになると、第１の出力モードから第２のスケジューリング遅延と関連付けられた第２の出力モードに移行することを含む。一部の実施形態では、タイマーの時間切れは、設定された監視オケージョンの回数においてダウンリンク制御チャネルを受信しないことに依存する。
【００１９】
一部の実施形態では、ワイヤレスデバイスが第１のスケジューリング遅延の仮説から第２のスケジューリング遅延の仮説に切り替わると判定することは、第１のスロットで検出されたダウンリンク制御チャネルに含まれるダウンリンク制御情報によってスケジューリングされた送信に対して、ＨＡＲＱ  ＡＣＫを送出すると、ワイヤレスデバイスが第１のスケジューリング遅延の仮説から第２のスケジューリング遅延の仮説に切り替わると判定することを含む。
【００２０】
一部の実施形態では、ワイヤレスデバイスが第１のスケジューリング遅延の仮説から第２のスケジューリング遅延の仮説に切り替わると判定することは、タイマーが時間切れになると、ワイヤレスデバイスが第１のスケジューリング遅延の仮説から第２のスケジューリング遅延の仮説に切り替わると判定することを含む。一部の実施形態では、タイマーの時間切れは、設定された監視オケージョンの回数においてダウンリンク制御チャネルを受信しないことに依存する。
【００２１】
一部の実施形態では、第１の出力モードは省電力モード（ＰＳＭ）であり、第２の出力モードは非ＰＳＭであるか、又は第１の出力モードが非ＰＳＭ、第２の出力モードがＰＳＭである。
【００２２】
一部の実施形態では、第１の値は、１つのスロット以上の値に対応する値である。一部の実施形態では、第２の値は、ゼロスロットの値に対応する値である。一部の実施形態では、第１の値は、物理ダウンリンク共有チャネルのニューメロロジーのみ、又は物理ダウンリンク制御チャネル及び物理ダウンリンク共有チャネルのニューメロロジーに依存する、ワイヤレスデバイスの指示に基づいて決定される値である。一部の実施形態では、方法はさらに、第１のスロットのダウンリンク制御チャネルで検出されたダウンリンクスケジューリングが、第１の値を超える第１のスケジューリング遅延を用いてワイヤレスデバイスへのダウンリンク送信をスケジューリングするという仮説に基づいて、ダウンリンク制御チャネルを監視していない第１のスロットの間、低出力モードで動作することを含む。一部の実施形態では、第１のスロットの間、ダウンリンク制御チャネルを監視することは、第１のスロットの開始部分においてダウンリンク制御チャネルを監視することを含み、方法はさらに、第１のスケジューリング遅延の仮説に基づいて、ダウンリンク制御チャネルがその間監視される、第１のスロットの開始部分の終わりに始まる第１のスロットの間、低出力モードで動作することを含む。
【００２３】
一部の実施形態では、ワイヤレスデバイスが第１のスケジューリング遅延の仮説から第２のスケジューリング遅延の仮説に切り替わると判定することは、ワイヤレスデバイスへの送信をスケジューリングするダウンリンク制御情報を含むダウンリンク制御チャネルが、第１のスロットの間に検出されると判定することを含む。一部の実施形態では、１つ又は複数の後のスロットは、第１のスロット直後の第２のスロットを含む。一部の実施形態では、１つ又は複数の後のスロットは、第１のスロットで検出されたダウンリンク制御チャネルに含まれるダウンリンク制御情報によってスケジューリングされた送信に対して、ワイヤレスデバイスがＨＡＲＱ応答を送出するスロットの後に来る。他の一部の実施形態では、１つ又は複数の後のスロットは、第１のスロットで検出されたダウンリンク制御チャネルに含まれるダウンリンク制御情報によってスケジューリングされた送信に対して、ワイヤレスデバイスがＨＡＲＱ  ＡＣＫを送出するスロットの後に来る。他の一部の実施形態では、１つ又は複数の後のスロットは、第２のスケジューリング遅延に従ってワイヤレスデバイスへの送信をスケジューリングするダウンリンク制御情報を含む別のダウンリンク制御チャネルをワイヤレスデバイスが検出するスロットの後に来る。一部の実施形態では、方法はさらに、第１のスロットの後であって１つ又は複数の後のスロットよりも前の１つ又は複数の後続のスロットにおいて、第１のスケジューリング遅延の仮説を用いてワイヤレスデバイスへの送信をスケジューリングするダウンリンク制御情報を含むダウンリンク制御チャネルを監視することを含む。他の一部の実施形態では、第１のスロットは間欠受信（Ｄｉｓｃｏｎｔｉｎｕｏｕｓ  Ｒｅｃｅｐｔｉｏｎ：ＤＲＸ）Ｏｎ  Ｄｕｒａｔｉｏｎの間であり、１つ又は複数の後のスロットは、ＤＲＸ  Ｏｎ  Ｄｕｒａｔｉｏｎにおける第１のスロットの後に来るすべてのスロットである。他の一部の実施形態では、第１のスロットはＤＲＸ  Ｏｎ  Ｄｕｒａｔｉｏｎの間であり、１つ又は複数の後のスロットは、ＤＲＸ  Ｏｎ  Ｄｕｒａｔｉｏｎにおける第１のスロットの後に来る既定数のスロットである。一部の実施形態では、方法はさらに、第１のスケジューリング遅延の仮説を用いて、又は第１のスケジューリング遅延の仮説及び第２のスケジューリング遅延の仮説の両方を用いて、ワイヤレスデバイスへの送信をスケジューリングするダウンリンク制御情報を含むダウンリンク制御チャネルの監視に切り替えることを含む。
【００２４】
一部の実施形態では、ワイヤレスデバイスは、無線フロントエンド回路と、無線フロントエンド回路と関連付けられた処理回路とを含む。処理回路は、第１のスロットの間、第１の値以上である第１のスケジューリング遅延の仮説を用いてワイヤレスデバイスへの送信をスケジューリングするダウンリンク制御情報を含むダウンリンク制御チャネルを、ワイヤレスデバイスに監視させるように設定される。処理回路はさらに、ワイヤレスデバイスが第１のスケジューリング遅延の仮説から、第１の値よりも小さい第２の値以上である第２のスケジューリング遅延の仮説に切り替わると、ワイヤレスデバイスに判定させるように設定される。処理回路はさらに、第１のスロット後に起こる１つ又は複数の後のスロットの間、第２のスケジューリング遅延の仮説を用いてワイヤレスデバイスへの送信をスケジューリングするダウンリンク制御情報を含むダウンリンク制御チャネルを、ワイヤレスデバイスに監視させるように設定される。
【００２５】
一部の実施形態では、ワイヤレスデバイスが第１のスケジューリング遅延の仮説から第２のスケジューリング遅延の仮説に切り替わると、ワイヤレスデバイスに判定させるために、処理回路はさらに、ネットワークノードからの明示的又は暗示的な指示に応答して、ワイヤレスデバイスが第１のスケジューリング遅延の仮説から第２のスケジューリング遅延の仮説に切り替わると、ワイヤレスデバイスに判定させるように設定される。一部の実施形態では、明示的又は暗示的な指示は、ネットワークノードからのダウンリンク制御情報に含まれる明示的な指示である。
【００２６】
一部の実施形態では、処理回路はさらに、第１のスロットの間、ワイヤレスデバイスが第１のスケジューリング遅延と関連付けられた第１の出力モードで動作している状態で、第１のスケジューリング遅延の仮説を用いてワイヤレスデバイスへの送信をスケジューリングするダウンリンク制御情報を含むダウンリンク制御チャネルを、ワイヤレスデバイスに監視させるように設定される。さらに、ワイヤレスデバイスが第１のスケジューリング遅延の仮説から第２のスケジューリング遅延の仮説に切り替わると、ワイヤレスデバイスに判定させるために、処理回路はさらに、第１の出力モードから第２のスケジューリング遅延と関連付けられた第２の出力モードに、ワイヤレスデバイスを移行させるように設定される。一部の実施形態では、処理回路はさらに、ネットワークノードからのダウンリンク制御情報に含まれる指示に応答して、第１の出力モードから第２の出力モードに、ワイヤレスデバイスを移行させるように設定される。
【００２７】
本明細書に組み込まれその一部を成す添付図面は、本開示のいくつかの態様を例証し、明細書と併せて本開示の原理を説明する役割を果たす。
【図面の簡単な説明】
【００２８】
【図１】新無線（ＮＲ）における例示的な無線リソースを示す図である。
【図２】間欠受信（ＤＲＸ）動作の一例を示す図である。
【図３】同一スロットスケジューリング及び例示のユーザ機器（ＵＥ）アクティビティを用いたスケジューリングの可能性を示すブロック図である。
【図４】クロススロットスケジューリング及び例示のＵＥアクティビティを用いたスケジューリングの可能性を示すブロック図である。
【図５】本開示の一部の実施形態によるＵＥの動作を示すフローチャートである。
【図６】物理ダウンリンク制御チャネル（ＰＤＣＣＨ）を送信することができる、異なる検索空間（検索空間Ｘ及びＹとして表される）の一例を示す図である。
【図７】本開示の一部の実施形態による、検索空間Ｘではクロススロットスケジューリングのみが可能であり、検索空間Ｙでは同一スロットスケジューリングのみが可能である、一例を示す図である。
【図８】本開示の一部の実施形態による、異なる仮説のスケジューリング遅延を使用して（即ち、クロススロットスケジューリングのみを使用して、又は同一スロットスケジューリングを使用して）異なる動作モード間で切り替わるＵＥの動作を示すフローチャートである。
【図９】本開示の一部の実施形態による、異なるスケジューリング遅延が使用される異なる出力モード間でＵＥが移行する、ＵＥの動作を示すフローチャートである。
【図１０】本開示の一実施形態による、検索空間Ｘでは最初のみクロススロットスケジューリング（Ｋ０＞０）が可能であり、ＵＥが検索空間Ｘで検出されたＰＤＣＣＨに含まれるダウンリンク制御情報（ＤＣＩ）によってスケジューリングされた物理ダウンリンク共有チャネル（ＰＤＳＣＨ）を受信し、ＵＥがハイブリッド自動再送要求（ＨＡＲＱ）フィードバックを送出し、次にＵＥに同一スロットスケジューリング（Ｋ０＝０）をスケジューリングすることができる、一例を示す図である。
【図１１】本開示の一部の実施形態による、異なるスケジューリング遅延が使用される異なる出力モード間でＵＥが移行する、ＵＥの動作を示すフローチャートである。
【図１２】本開示の一部の実施形態による、消費電力を低減することができる、クロススロットスケジューリング及び制限された同一スロットスケジューリングの両方を用いる例を示す図である。
【図１３】本開示の一部の実施形態による、消費電力を低減することができる、クロススロットスケジューリング及び制限された同一スロットスケジューリングの両方を用いる例を示す図である。
【図１４】本開示の一部の実施形態による、ＵＥがＵＥ能力情報又はＵＥ指示をネットワークノードに提供する、ＵＥ及びネットワークノード（たとえば、基地局）の動作を示す図である。
【図１５】本開示の実施形態が実現されてもよい、例示のワイヤレスネットワークを示す図である。
【図１６】本明細書に記載する様々な態様による、ＵＥの一実施形態を示す図である。
【図１７】一部の実施形態によって実現される機能が仮想化されてもよい、仮想化環境を示す概略ブロック図である。
【図１８】通信システムがアクセスネットワーク及びコアネットワークを含む電気通信ネットワークを含む、本開示の実施形態が実現されてもよい通信システムを示す図である。
【図１９】図１８のＵＥ、基地局、及びホストコンピュータの一実施形態による、例示の実装形態を示す図である。
【図２０】本開示の一部の実施形態による通信システムにおいて実現される方法を示すフローチャートである。
【図２１】本開示の一部の実施形態による通信システムにおいて実現される方法を示すフローチャートである。
【図２２】本開示の一部の実施形態による通信システムにおいて実現される方法を示すフローチャートである。
【図２３】本開示の一部の実施形態による通信システムにおいて実現される方法を示すフローチャートである。
【発明を実施するための形態】
【００２９】
下記に説明する実施形態は、当業者が実施形態を実践できるようにし、実施形態を実践する最良のモードを例証する情報を表す。以下の説明を添付図面に照らして読むことにより、当業者であれば、本開示の概念を理解し、それらの概念の適用について本明細書では特に取り上げないことを認識するであろう。これらの概念及び適用は本開示の範囲内にあることが理解されるべきである。
【００３０】
一般に、本明細書で使用されるすべての用語は、それが使用されている文脈から異なる意味が明確に与えられる及び／又は暗示されるのでない限り、関連技術分野におけるそれらの通常の意味に従って解釈されるものとする。１つの／その（ａ／ａｎ／ｔｈｅ）要素、装置、構成要素、手段、ステップなどのすべての参照は、特に明記のない限り、要素、装置、構成要素、手段、ステップなどの少なくとも１つの例を参照するものとしてオープンに解釈されるものとする。ステップが別のステップに続く若しくは先行するものとして明示的に記載されていない限り、及び／又はステップが別のステップに続く若しくは先行する必要があるということが黙示的である場合、本明細書で開示されるいずれの方法のステップも、開示されている正確な順番で実行される必要はない。本明細書で開示される実施形態のいずれかの任意の特徴は、適切な場合には、任意の他の実施形態に適用され得る。同様に、いずれかの実施形態の任意の利点は、任意の他の実施形態に適用することができ、逆もまた同様である。含まれる実施形態の他の目的、特徴及び利点が、以下の説明から明らかとなろう。
【００３１】
現在、たとえば、新無線（ＮＲ）などのセルラ通信ネットワークにおいてユーザ機器（ＵＥ）の低出力動作を達成することに関して、特定の課題が存在している。たとえば、現在のＮＲにおいて、ＵＥは単一の高次レイヤ構成によって設定され、それによって、ユニキャスト物理ダウンリンク共有チャネル（ＰＤＳＣＨ）を受信するように、同一スロットスケジューリング（たとえば、最小Ｋ０＝０）又はクロススロットスケジューリング（たとえば、最小Ｋ０＞０）のどちらかで、ＵＥをスケジューリングすることができる。「Ｋ０」は、ＵＥへのＰＤＳＣＨ送信をスケジューリングするダウンリンク制御情報（ＤＣＩ）とＰＤＳＣＨ送信との間のスケジューリング遅延を規定するパラメータであることに留意されたい。この場合、次のどちらかである。
ａ）ＵＥが同一スロットスケジューリングに対応しなければならず、つまり、ＵＥが物理ダウンリンク制御チャネル（ＰＤＣＣＨ）を復号し、同じスロットにＵＥに関連するＰＤＳＣＨが存在するか否かを判定しなければならず、これによって、ＵＥが潜在的なＰＤＳＣＨサンプルを収集し、及び／又は潜在的なＰＤＳＣＨ受信に適した帯域幅モードで動作する必要があるため、消費電力低減の機会が低減されるか、或いは、
ｂ）ＵＥが常にクロススロットスケジューリングでデータを受信しなければならず、つまり、スケジューリングの遅延によってレイテンシが増加する。
同一スロット及びクロススロットスケジューリングの間の適応は、現在は、大きいオーバーヘッドを必要とする可能性があり、非常に低速である、無線リソース制御（ＲＲＣ）などの高次レイヤによって達成されている。したがって、かかる適応は望ましくなく、スループットの減少及びレイテンシの増加に結び付いている。
【００３２】
本開示の特定の態様及び本明細書に記載する実施形態は、これら又は他の課題に対する解決策を提供することができる。
【００３３】
一部の実施形態では、ワイヤレスデバイスによって実施される方法は、ダウンリンク制御チャネルのダウンリンクスケジューリング情報を監視することを含み、任意の受信されたダウンリンクスケジューリングが、第１のスケジューリング遅延後に行われるようにダウンリンク送信をスケジューリングすることができる。方法はさらに、第１のスケジューリング遅延に従って、第１のデータ送信に関する第１のダウンリンクスケジューリング情報を受信することと、スケジューリングされた時間に第１のデータ送信を受信することと、ダウンリンク制御チャネルのダウンリンクスケジューリング情報を監視することとを含み、任意の受信されたダウンリンクスケジューリングが、第１のスケジューリング遅延よりも短い第２のスケジューリング遅延後に行われるようにダウンリンク送信をスケジューリングすることができる。
【００３４】
特定の実施形態は、ＰＤＳＣＨと関連付けられたＤＣＩを第１の検索空間で受信するための第１のＫ０値セットと、ＰＤＳＣＨと関連付けられたＤＣＩを第１の検索空間又は第２の検索空間で受信するための第２のＫ０値セットとに対応する、システム及び方法を含む。基地局は、第１のＫ０値セットに従って、第１の検索空間を使用して、スケジューリングデータを含むＤＣＩをＵＥに送出する。スケジューリングデータは、ＰＤＳＣＨをＵＥに対してスケジューリングし、スケジューリングされたＰＤＳＣＨのスケジューリング遅延は第１のＫ０値セットに従う。ＵＥは第１の検索空間を監視し、それによってＤＣＩを受信する。ＵＥは、スケジューリングデータに従って、スケジューリングされたＰＤＳＣＨを基地局から受信し、スケジューリングされたＰＤＳＣＨに関して、フィードバック（たとえば、ハイブリッド自動再送要求（Ｈｙｂｒｉｄ  Ａｕｔｏｍａｔｉｃ  Ｒｅｐｅａｔ  Ｒｅｑｕｅｓｔ：ＨＡＲＱ）フィードバック）を基地局に送出する。ＵＥはまた、ＤＣＩを通してデータ受信するため、第１の検索空間、又は第２のＫ０値セットに対応する第２の検索空間において、ＤＣＩを監視する。第１のＫ０値セットは、ＵＥが、第２のＫ０値セットでデータを受信する場合と比べて少ない消費電力でデータを受信できるようにしてもよい。ＵＥは、スケジューリングされたデータに対するフィードバックがＨＡＲＱ−肯定応答（Ａｃｋｎｏｗｌｅｄｇｅｍｅｎｔ：ＡＣＫ）の場合のみ、第１又は第２の検索空間における第２のＫ０値セットを用いてＤＣＩを監視する。第１のＫ０値セットはクロススロットスケジューリングを意味してもよく、第２のＫ０値セットは同一スロットスケジューリングを意味してもよい。
【００３５】
一般に、特定の実施形態は、ＵＥに対するデータ到着に基づいて、遅延させたＰＤＣＣＨからＰＤＳＣＨへのスケジューリングをオンオフすることと、異なる最小Ｋ０値（Ｋ０はＰＤＣＣＨからＰＤＳＣＨへのスケジューリング遅延）を有する少なくとも２つの検索空間を用いてＵＥを設定し、ＰＤＣＣＨ監視をこれらの検索空間の間で動的に切り替えることと、同じ検索空間に対して異なるＫ０値セットを設定し、暗示的又は明示的な動的指示に基づいて、異なるＫ０値セットの間で切り替えることとを含む。
【００３６】
本明細書で提案される、本明細書に開示する課題の１つ又は複数に対処する様々な実施形態がある。ある種の実施形態は、以下の技術的利点の１つ又は複数を提供してもよい。たとえば、特定の実施形態は、ダウンリンクデータスケジューリングのための、ａ）クロススロットスケジューリングとｂ）同一スロットスケジューリングとの間の高速、堅牢、及び物理レイヤベースの移行によって、ＵＥ消費電力を低減する。消費電力の低減は、サンプル収集時の低減された無線周波数（ＲＦ）の形態、又はＰＤＳＣＨがＰＤＣＣＨよりも帯域幅が広い場合、ＰＤＣＣＨ監視の低帯域幅（ＢＷ）動作の形態であってもよい。これらの実施形態の詳細を以下に提供する。
【００３７】
ここで、本明細書で意図された実施形態のうちのいくつかを、添付の図面を参照して、より完全に説明する。しかしながら、他の実施形態が、本明細書で開示される主題の範囲内に含まれ、開示される主題は、本明細書に記載の実施形態のみに限定されるものとして解釈されるべきではなく、これらの実施形態は、当業者に本主題の範囲を伝えるための例として提供される。
【００３８】
図３は、同一スロットスケジューリング及び例示のＵＥアクティビティを用いたスケジューリングの可能性を示すブロック図である。ＵＥは、複数スロットｎ、ｎ＋１、ｎ＋２、…でＰＤＣＣＨを監視するように設定される。ＰＤＣＣＨは、同じスロットのＰＤＳＣＨを使用してデータを割り当てることができ、即ちＫ０は０であることができる。Ｋ０は、一般に、ＰＤＣＣＨとそのＰＤＣＣＨによって割り当てられたＰＤＳＣＨの始まりとの間の遅延と見なされる。この例では、ＰＤＳＣＨは、スロットｎ＋１のＵＥに対してスケジューリングされるが、スロットｎ、ｎ＋２、及びｎ＋３のＵＥに対してＰＤＳＣＨはスケジューリングされない。
【００３９】
次に、例示のＵＥアクティビティについて考察すると、ＵＥ受信器は、スロットｎでＰＤＣＣＨシンボルを受信するのに「オン」（高消費電力状態）でなければならない。ＵＥ受信器は、ＰＤＣＣＨによって割り当てられたＰＤＳＣＨがスロットｎにあるか否かを前もって分かっていないので、ＵＥ受信器は、ＵＥがＰＤＣＣＨ監視を完了するまでシンボルをバッファリングし続ける（又はオン状態を継続する）必要がある（即ち、スロットｎのすべての可能性があるＰＤＣＣＨ候補を復号する）。ＰＤＣＣＨ監視の終了時に、（たとえば、スロットｎ、ｎ＋２、及びｎ＋３に示されるように）ＰＤＳＣＨがそのスロットに割り当てられていないとＵＥが判定した場合、ＵＥは、スロットの残りに対してオフ状態（低消費電力状態、又は省電力モード（Ｐｏｗｅｒ  Ｓａｖｉｎｇｓ  Ｍｏｄｅ：ＰＳＭ））に移行することができる。（たとえば、スロットｎ＋１に示されるように）ＰＤＳＣＨがそのスロットに割り当てられているとＵＥが判定した場合、ＵＥはスロットの残りの間オンのままで、ＰＤＳＣＨが予測されるすべてのシンボルをバッファリングする。
【００４０】
図４は、クロススロットスケジューリング及び例示のＵＥアクティビティを用いたスケジューリングの可能性を示すブロック図である。図３と比較して、スケジューリングパターンは、ＰＤＣＣＨが１スロット又はそれ以上の遅延（即ち、Ｋ０＞１）でＰＤＳＣＨを割り当てることしかできないように制限される。Ｋ０は、これらの例ではスロットレベル値まで丸められるが、より一般には、スケジューリング遅延は、スロット又はｍｓ若しくはマイクロ秒など他の何らかの時間単位を含むシンボルで表して表現できることに留意されたい。図３と同様に、スロットｎ＋１において、ＰＤＣＣＨによってスケジューリングされたＵＥのデータがある。データ自体は、Ｋ０遅延により、スロットｎ＋２にスケジューリングされる。他のスロットにはＰＤＣＣＨによってＰＤＳＣＨが割り当てられていない。ここで、このセットアップに対する例示のＵＥアクティビティを考慮して、スロットｎ＋１について考察すると、ＵＥは、スロットの始まりにＰＤＣＣＨを受信するため、オン状態である必要がある。スロットの残りの間、ＰＤＳＣＨがスロットｎ＋１に割り当てられるか否かがスロットｎのＰＤＣＣＨによってシグナリングされるので、ＵＥはオフ状態であることができ、これはＵＥがスロットｎですでに復号している。しかしながら、ＵＥは、ＰＤＳＣＨが割り当てられているスロットにおいて、たとえば、データが割り当てられていて、この例ではＰＤＳＣＨがスロット全体に及ぶと仮定されるスロットｎ＋２において、すべてのシンボルに対してオン状態である必要がある。
【００４１】
図３及び４におけるＵＥアクティビティを比較すると、ＵＥは、スケジューリングが遅延した（即ち、Ｋ０がＵＥのＰＤＣＣＨ復号遅延よりも長い）場合に、より長くオフのままであることができることが例証される。これは、ＵＥの消費電力削減に有益である。しかしながら、スケジューリングの遅延によってレイテンシが増加する（たとえば、上述の例では、スロットｎ＋１からｎ＋２にＰＤＳＣＨを遅延させる必要がある）。これはできるだけ回避する必要がある。
【００４２】
それに加えて、ＵＥに対して関連するＵＥ省電力の機会は、ＢＷが比較的狭い受信器でＰＤＣＣＨを受信することであり、その場合、ＢＷは検索空間設定に基づいてもよい。しかしながら、ＵＥが同一スロットＰＤＳＣＨ受信に設定されると、より広いＢＷの動作への一般的な移行時間は０．５〜１ミリ秒（ｍｓ）程度、即ちスロット持続時間レベルであり得るので、より狭いＢＷの動作は実現不可能である。Ｋ０＞０モードで動作するのに、ＵＥは、さらなる省電力のため、ＢＷ適応メカニズムを使用することができる。
【００４３】
本開示の特定の実施形態は、上述の遅延されたスケジューリングを動的に適応させて、スケジューリング遅延を不必要に増加させることなく、ＵＥ省電力を達成する。
【００４４】
本開示の特定の実施形態は、ＵＥに対するデータ到着に基づいて、遅延させたＰＤＣＣＨからＰＤＳＣＨへのスケジューリングをオンオフする。図５（オプションのステップが破線の四角によって表される）に示されるように、一例では、ＵＥは、第１のスロットでＰＤＣＣＨを監視して、ＰＤＣＣＨが、第１の値を常に上回る第１のスケジューリング遅延（たとえば、最小Ｋ０＞１のスロット）でＰＤＳＣＨをスケジューリングすることができると仮定する（ステップ５００）。換言すれば、第１のスロットの間、ＵＥは、ＵＥに対してＰＤＳＣＨをスケジューリングするＤＣＩを含むＰＤＣＣＨを監視し、ＵＥは、第１のスロットのＰＤＣＣＨが第１のスケジューリング遅延でＰＤＳＣＨをスケジューリングすることができるという仮説を立てる。この仮説によって、ＵＥは、特定の操作を行うことが、たとえば、第１のスケジューリング遅延に割り当てられた特定の検索空間で監視すること、及び／又は低出力状態に入って電力を削減することができる。たとえば、第１のスケジューリング遅延が常に１スロット以上であって、ＵＥがクロススロットスケジューリングを仮定することができる場合、ＵＥは、第１のスロットの開始部分のＰＤＣＣＨ（たとえば、始めの１つ若しくはいくつかのＯＦＤＭシンボル）を監視し、次にクロススロットスケジューリングの仮説に基づいて、第１のスロットの残りの部分に関して低出力状態（オフ状態）に入ってもよい（たとえば、図４のスロットｎを参照）。上述したように、これは、第１のスロットで受信されたＰＤＣＣＨがある場合、それがクロススロットスケジューリングを使用する（即ち、ＰＤＳＣＨのある今後のスロットをスケジューリングする）とＵＥが仮定することができるので、ＰＤＣＣＨシンボルを処理するときに、ＵＥがＰＤＳＣＨシンボルのバッファリングを継続する必要がないためである。ＵＥが、（たとえば、ＤＬ−ＳＣＨを使用して）ＵＥに対するデータをＰＤＳＣＨに割り当てる第１のスロットで、ＰＤＣＣＨを検出しない場合（ステップ５０２のいいえ）、その後のスロット（即ち、第１のスロットよりも後のスロット）の間、ＵＥは、ＰＤＣＣＨが第１のスケジューリング遅延でＰＤＳＣＨをスケジューリングすることができると仮定して、ＰＤＣＣＨを監視し続ける（ステップ５０４）。ＵＥが、ＵＥに対するデータをＰＤＳＣＨに割り当てる第１のスロットで、ＰＤＣＣＨを検出した場合（ステップ５０２のはい）、ＵＥは、その後のスロットでＰＤＣＣＨを監視して、それら後のスロットのＰＤＣＣＨが、第１の値よりも小さい第２の値を常に上回る（たとえば、Ｋ０＝０スロット）第２のスケジューリング遅延でＰＤＳＣＨをスケジューリングすることができると仮定する（ステップ５０６）。換言すれば、その後のスロットの間、ＵＥは、ＵＥに対してＰＤＳＣＨをスケジューリングするＤＣＩを含むＰＤＣＣＨを監視し、ＵＥは、その後のスロットのＰＤＣＣＨが第２のスケジューリング遅延でＰＤＳＣＨをスケジューリングすることができるという仮説を立てる。たとえば、第２のスケジューリング遅延が常に０スロット以上であって、ＵＥがクロススロットスケジューリングを仮定することができない（即ち、同一スロットスケジューリングがあってもよいと仮定する）場合、ＵＥは、第１のスロットの開始部分のＰＤＣＣＨ（たとえば、始めの１つ若しくはいくつかの直交周波数分割多重（ＯＦＤＭ）シンボル）を監視し、次に可能な同一スロットスケジューリングの仮説に基づいて、オン状態に留まって、ＰＤＣＣＨシンボルを処理しながらＰＤＳＣＨシンボルをバッファリングする（たとえば、図３のスロットｎを参照）。ステップ５０２の決定は、本明細書では、ＵＥが第１のスケジューリング遅延の仮説から第２のスケジューリング遅延の仮説へと切り替わるか否かを判定する１つの手法としても言及されることに留意されたい。
【００４５】
ステップ５０６で、ＵＥは、後のスロットにおけるＰＤＣＣＨを監視して、それら後のスロットのＰＤＣＣＨが第２のスケジューリング遅延でＰＤＳＣＨをスケジューリングすることができると仮定する。上述の例では、これら「後のスロット」は、第１のスロットよりも後のスロットであることができ、また、ＵＥが、第１のスロットのＰＤＣＣＨによって割り当てられたＰＤＳＣＨに対して、ＨＡＲＱ−ＡＣＫ応答を送出するスロットよりも後のスロットであることができる。この場合、ＵＥは、ＵＥによって受信されたＰＤＳＣＨに対するＨＡＲＱ−ＡＣＫ／否定応答（ＮＡＣＫ）を送出するまで、第１のスケジューリング遅延を使用してＰＤＣＣＨを監視し続け（ステップ５０８）、その後で初めて、第２のスケジューリング遅延を使用したＰＤＣＣＨの監視に切り替える（ステップ５０６）。この選択肢の利点は、ＨＡＲＱ−ＡＣＫ／ＮＡＣＫが、ＵＥをスケジューリングする基地局（たとえば、ＮＲ基地局（ｇＮＢ））に対する確認として役立ち、今度は基地局が第２のスケジューリング遅延でＰＤＣＣＨを送出することができる点である。或いは、ＵＥは、ＨＡＲＱ応答としてＡＣＫを送出するまで、第１のスケジューリング遅延を使用してＰＤＣＣＨを監視し続け（ステップ５０８）、ＡＣＫが送出された後で初めて、第２のスケジューリング遅延を使用した監視に切り替えてもよい（即ち、ＮＡＣＫがＨＡＲＱ応答として送出された場合、ＵＥは切り替わらない）（ステップ５０６）。
【００４６】
場合によっては、たとえば、ＵＥによって送出されたＡＣＫが基地局で見逃されるか又は誤検出される可能性がある場合、ＵＥは、或いは、ＡＣＫを送出した後であっても、基地局からのもう１つのＰＤＣＣＨを検出するまで、第１及び第２のスケジューリング遅延の両方を仮定してＰＤＣＣＨを監視し続けてもよい（ステップ５１０）。新しいＰＤＣＣＨ  ＤＣＩにおいて、基地局が第２のスケジューリング遅延を使用してＵＥをスケジューリングした場合、その後の機会において、ＵＥは、第２のスケジューリング遅延を仮定してＰＤＣＣＨを監視することができる（ステップ５０６）。新しいＰＤＣＣＨ  ＤＣＩにおいて、拡張又はエボルブドノードＢ（ｅＮＢ）が第１のスケジューリング遅延に対応する遅延でＵＥを依然としてスケジューリングした場合、ＵＥによって送出される確認ＡＣＫが見逃されるか又は誤検出される可能性が最も高く、即ち再送信を適宜行う必要がある。
【００４７】
ＵＥがＤＲＸで設定された場合、ＵＥは、アクティブ時間である限り、又はＤＲＸに戻るまで、第２のスケジューリング遅延を仮定してＰＤＣＣＨを監視し続けることができる。後に続く「持続時間中」、ＵＥは、第１のスケジューリング遅延を仮定したＰＤＣＣＨの監視に戻る（ステップ５１２）。
【００４８】
ＵＥがＤＲＸで設定された場合、ＰＤＳＣＨの第１の検出及びＨＡＲＱ−ＡＣＫの送信の後、ＵＥは、第２のスケジューリング遅延に切り替え、ＰＤＳＣＨがＰ個の連続スロットで受信されなくなるまで、第２のスケジューリング遅延で監視を続けることができ（ステップ５０６）、その後、第１のスケジューリング遅延を用いた監視に戻る（ステップ５１２）。値Ｐは、ＰＤＳＣＨを受信しないスロットの数を表すパラメータＱよりも小さい値であることができ、その後ＵＥはＤＲＸに戻る。
【００４９】
或いは、ステップ５０６で第２のスケジューリング遅延に切り替えた後、いくつか後のスロットにおいて、両方の遅延値セットを監視するようにＵＥを設定することができる（ステップ５１２）。ＵＥが、第１のスケジューリング遅延セットが再び使用されることを検出した場合、第１のスケジューリング遅延を用いた監視に戻る。
【００５０】
ＵＥが、スリープ状態に入る明示的な指示をネットワークから受信するように設定された場合、ＵＥは、スリープ状態に入る指示がネットワークから受信されるまで、第２のスケジューリング遅延を仮定してＰＤＣＣＨを監視し続けることができ、ＵＥがスリープ状態に入る指示を受信した後にＰＤＣＣＨを監視するときは常に、第１のスケジューリング遅延を仮定したＰＤＣＣＨの監視に戻ることができる（ステップ５１２）。
【００５１】
上述の例に関する１つの方策では、第１のスケジューリング遅延を仮定してＰＤＣＣＨを監視することは、第１の検索空間と関連付けられたＰＤＣＣＨの監視に対応することができ、第２のスケジューリング遅延を仮定してＰＤＣＣＨを監視することは、第２の検索空間と関連付けられたＰＤＣＣＨの監視に対応することができる。上述の例に関する別の方策では、第１のスケジューリング遅延又は第２のスケジューリング遅延を仮定してＰＤＣＣＨを監視することは、同じ検索空間と関連付けられたＰＤＣＣＨの監視に対応することができる。
【００５２】
ＵＥが、（たとえば、ダウンリンク共有チャネル（ＤＬ−ＳＣＨ）を使用して）ＵＥに対するデータをＰＤＳＣＨに割り当てる（又はスケジューリングする）ことができる、ＰＤＣＣＨを監視している場合、これに伴って、ＵＥは、（たとえば、ブロードキャストチャネル（ＢＣＨ）、ページングチャネル（ＰＣＨ）を使用して）ブロードキャストデータをＰＤＳＣＨに割り当てることができる、ＰＤＣＣＨも監視することができる。ＵＥに対するデータをＰＤＳＣＨに割り当てることができるＰＤＣＣＨを監視するため、ＵＥは、セルＲＮＴＩ（Ｃ−ＲＮＴＩ）など、特定の無線ネットワーク一時識別子（ＲＮＴＩ）を使用することができる。ブロードキャストデータを割り当てることができるＰＤＣＣＨを監視するため、ＵＥは、ページングＲＮＴＩ（Ｐ−ＲＮＴＩ）／ランダムアクセスＲＮＴＩ（ＲＡ−ＲＮＴＩ）／システム情報ＲＮＴＩ（ＳＩ−ＲＮＴＩ）を使用して、ページング、ランダムアクセスチャネル（ＲＡＣＨ）、及びシステム情報に関連するデータをそれぞれ受信することができる。ＵＥは、固定の又は予め設定されたスケジューリング遅延を仮定して、ＰＤＳＣＨにブロードキャストデータを割り当てることができる、ＰＤＣＣＨを監視してもよい（即ち、ブロードキャストデータに関するＰＤＣＣＨ監視は、ＵＥ固有のデータの受信に関するＰＤＣＣＨ監視に切り替えることによる影響を必ずしも受けない）。
【００５３】
特定の実施形態は、異なる検索空間に対して異なるＫ０値セットを含む。たとえば、ＵＥは、異なる検索空間に対して異なるＫ０値セットを用いて設定することができる。検索空間はＵＥ固有の検索空間のみであることができる。したがって、ＵＥが第１の検索空間のみを探している場合、ＵＥは、第１の設定されたＫ０値セットを第１の検索空間からスケジューリングされたダウンリンクデータに対して可能にした場合、電力を削減することができる。ＵＥが第２の検索空間のみを探している場合、ＵＥは、異なるＫ０値セットを第２の検索空間からスケジューリングされたダウンリンクデータに対して可能にした場合、別の電力量を削減することができる。
【００５４】
図６は、検索空間Ｘ及びＹ並びにＰＤＣＣＨの一例を示している。図７は、検索空間Ｘではクロススロットスケジューリングのみが可能であり、検索空間Ｙでは同一スロットスケジューリングのみが可能である、一例を示している。図６では、ＵＥの消費電力は、ＰＤＣＣＨのみの監視持続時間（又はスロット）とＰＤＣＣＨ監視及びＰＤＳＣＨ受信を含む持続時間（又はスロット）との間で類似していることが示されているが、実際は、２つの場合で電力レベルは異なり得る。
【００５５】
上述の例では、ＵＥが検索空間ＸのみでＤＣＩを探している（即ち、検索空間ＸのみでＤＣＩを含むＰＤＣＣＨを監視している）場合、ＵＥは、ＰＤＳＣＨが次のスロットでのみスケジューリングされると予測されることが分かっているので、所与のスロットでＰＤＣＣＨをバッファリングした直後にスリープ状態に入ることができる。ＵＥはこれを前もって良好に（たとえば、ＰＤＣＣＨを復号し、停止又は留保を決定する必要なく）判定することができるので、省電力の機会は比較的大きい可能性がある。
【００５６】
上述の例では、ＵＥが検索空間ＹのみでＤＣＩを探している（即ち、検索空間ＹのみでＤＣＩを含むＰＤＣＣＨを監視している）場合、ＵＥは、ＰＤＣＣＨを復号し、次に停止又は留保のどちらかを決定しなければならないので、所与のスロットでＰＤＣＣＨをバッファリングした直後にスリープ状態に入れないことがあり、したがって、省電力の機会は比較的小さい可能性がある。
【００５７】
或いは、いくつかのスロットでは、検索空間Ｘ及びＹの両方が存在することができる。ＵＥは検索空間Ｘを最初にチェックする。ＤＣＩが見つかった（又はすべてのＤＣＩが見つかっている）場合、停止し、検索空間Ｙはチェックしない。ＵＥは次に、検索空間Ｘと関連付けられた遅延値の使用に戻る。検索空間Ｘ及びＹの両方が存在する可能性がある後のスロットでは、ＵＥが検索空間ＹでＤＣＩを見つけた場合、ＵＥは、検索空間Ｙと関連付けられた遅延値の使用に戻る。図８は、このプロセスの一例を示している。図示されるように、特定のスロットが検索空間Ｘ及び検索空間Ｙの両方を有する場合（ステップ８００のはい）、ＵＥは、ＵＥに対するＰＤＳＣＨをスケジューリングするＤＣＩを含むＰＤＣＣＨに関して、検索空間Ｘを監視する（ステップ８０２）。かかるＰＤＣＣＨが検出された場合（ステップ８０４のはい）、ＵＥは、検索空間Ｘと関連付けられた第１のスケジューリング遅延を使用する（ステップ８０６）。換言すれば、ＵＥは、後のスロットのＰＤＣＣＨが第１のスケジューリング遅延を有するＤＣＩを含むという仮説に従って動作する。ＰＤＣＣＨが検索空間Ｘで検出されなかった場合（ステップ８０４のいいえ）、ＵＥは、ＵＥに対するＰＤＳＣＨをスケジューリングするＤＣＩを含むＰＤＣＣＨに関して、検索空間Ｙを監視する（ステップ８０８）。かかるＰＤＣＣＨが検索空間Ｙで検出された場合（ステップ８１０のはい）、ＵＥは、検索空間Ｙと関連付けられた第２のスケジューリング遅延を使用する（ステップ８１２）。換言すれば、ＵＥは、後のスロットのＰＤＣＣＨが第２のスケジューリング遅延を有するＤＣＩを含むという仮説に従って動作する。このようにして、ＵＥは、クロススロットスケジューリング及び同一スロットスケジューリング動作の間で切り替える（たとえば、クロススロットスケジューリングのみが使用されるＰＳＭと同一スロットスケジューリングを使用することができる非ＰＳＭとの間で切り替える）ことができる。
【００５８】
特定の実施形態では、ＵＥは、検索空間ＸのみでＤＣＩを探し始めることができる。ＵＥが検索空間ＸにおいてＰＤＳＣＨでスケジューリングされた場合、ＵＥは、特定のフィードバック（たとえば、ＨＡＲＱ−ＡＣＫ）を報告することができ、ＵＥは、検索空間Ｘ（及びＹ）又は検索空間ＹのみでＤＣＩを探し始めることができる。
【００５９】
一部の実施形態では、ＵＥは少なくとも２つの検索空間を有して設定され、２つの検索空間は（ＰＤＣＣＨからＰＤＳＣＨへのスケジューリングに関して）異なる最小Ｋ０値を有する、検索空間Ｘ及び検索空間Ｙである。ＵＥは、ＰＳＭのとき、検索空間ＸでＤＣＩを探す。１つの代替例では、ＵＥは、ＰＳＭでないとき、検索空間Ｘ及び検索空間ＹでＤＣＩを探す。別の代替例では、ＵＥは、ＰＳＭでないとき、検索空間ＹでＤＣＩを探す。図９は、これに関するＵＥの動作を示すフローチャートである。図示されるように、ＵＥは第１の出力モード（たとえば、ＰＳＭ）に入る（ステップ９００）。第１の出力モードのとき、ＵＥは、第１の出力モードと関連付けられた第１の検索空間（たとえば、ＰＳＭの場合の検索空間Ｘ）のスロット内でＰＤＣＣＨを監視する（ステップ９０２）。第１の検索空間は第１の最小Ｋ０値と関連付けられる。上述したように、ＵＥは、第１の検索空間で検出されたＰＤＣＣＨのＤＣＩによってスケジューリングされたＰＤＳＣＨが、第１の最小Ｋ０値以上のスケジューリング遅延を有すると仮定し、上述したように、その仮定に基づいて、消費電力に影響する特定の操作を行うことができる。その後のある時点で、ＵＥは、第２の出力モード（たとえば、非ＰＳＭ）に入る（たとえば、切り替わる）（ステップ９０４）。第２の検索空間は、第１の最小Ｋ０値とは異なる第２の最小Ｋ０値と関連付けられる。後述するように、ＵＥは、（たとえば、後述するような、様々な基準のいずれか１つ若しくはいずれかの組合せに基づいて）第１の出力モードから第２の出力モードに移行すべきだと判定すると、第２の出力モードに入る。このようにして、ＵＥは、第１の出力モードと関連付けられた第１のスケジューリング遅延の仮説から、第２の出力モードと関連付けられた第２のスケジューリング遅延の仮説へと切り替えるべきだと判定する。第２の出力モードでは、ＵＥは、第２の出力モードと関連付けられた第２の検索空間（たとえば、非ＰＳＭの場合の検索空間Ｙ）のスロット内でＰＤＣＣＨを監視する（ステップ９０６）。上述したように、ＵＥは、第２の検索空間で検出されたＰＤＣＣＨのＤＣＩによってスケジューリングされたＰＤＳＣＨが、第２の最小Ｋ０値以上のスケジューリング遅延を有すると仮定し、上述したように、その仮定に基づいて、消費電力に影響する特定の操作を行うことができる。
【００６０】
ＵＥは、１つ又は複数の以下の基準に基づいて、（たとえば、ステップ９００又は９０４で）ＰＳＭから非ＰＳＭモードへと移行するものと予測することができる。
・ＵＥが、検索空間ＸでスケジューリングＰＤＣＣＨを検出する。
〇スケジューリングＰＤＣＣＨは、トランスポートブロックの第１の送信のためのものであることができ、及び／又はトランスポートブロックのＨＡＲＱ再送信に適用することができる。
・ＵＥが、検索空間ＸでＰＤＣＣＨによってスケジューリングされたＰＤＳＣＨに対してＡＣＫを送信する。
・ＵＥが、検索空間Ｘを介してスケジューリングされたメッセージ、たとえばＤＣＩ命令を受信して、ＰＳＭから通常モードに移行する。
・現在のＤＲＸサイクルの終了後。
・Ｏｎｄｕｒａｔｉｏｎの開始時。
【００６１】
非ＰＳＭからＰＳＭへの移行（たとえば、ステップ９００又は９０４）は、次のものに基づくことができる。
・タイマーの時間切れが、設定された監視オケージョンの回数においてＰＤＣＣＨを受信しないことに依存することができる場合、タイマー。その回数後に非ＰＳＭからＰＳＭへの移行が行われる監視オケージョンの回数は、そのスロット後にＵＥがＤＲＸに戻る、ＰＤＳＣＨを有さない監視スロットの数よりも少ないことが可能である。
・ＵＥが、検索空間Ｙを介してスケジューリングされたメッセージ、たとえばＤＣＩ命令を受信して、非ＰＳＭからＰＳＭモードに移行する。
・現在のＤＲＸサイクルの終了後又はＯｎｄｕｒａｔｉｏｎの開始時。
【００６２】
ＰＳＭモードにおける接続モードＤＲＸ（ＣＤＲＸ）ＯＮでの開始も選択肢である。
【００６３】
検索空間Ｘは、以下の１つ又は複数を容易にするように設定することができる。
・検索空間Ｙよりも狭いＢＷ
・検索空間Ｙよりも少ないブラインド復号
・検索空間Ｙよりも少ないシンボル
しかしながら、検索空間Ｘ及び検索空間Ｙは、同じＢＷ、ＢＤ、又はシンボルパラメータの数を有してもよい。
【００６４】
検索空間Ｘ及び検索空間Ｙは同じコアリソースセット（ＣＯＲＥＳＥＴ）にマッピングすることができる。検索空間Ｘ及びＹは異なるＣＯＲＥＳＥＴにマッピングすることができる。検索空間Ｘ及び検索空間Ｙは両方ともＵＥ固有の検索空間であることができる。検索空間Ｘは、一実施形態では値Ｋ０＞０を含む、第１のＫ０値セットと関連付けられる。検索空間Ｙは、一実施形態では値Ｋ０＝０に限定される、第２のＫ０値セットと関連付けられる。
【００６５】
特定の実施形態は、同じ検索空間に対して異なるＫ０値セットを設定し、動的指示に基づいて移行する。たとえば、ＵＥは、同じ検索空間に対して異なるＫ０値セットで設定することができる。検索空間はＵＥ固有の検索空間のみであることができる。ＵＥが最初に検索空間のみでＤＣＩを探し始める場合、ＵＥは、検索空間からスケジューリングされるダウンリンクデータのみに対して、第１の設定されたＫ０値セットでスケジューリングすることができる。ＵＥがダウンリンクデータを受信し、ＨＡＲＱフィードバック（ＡＣＫなど）を送出する場合、ＵＥは、検索空間からスケジューリングされるダウンリンクデータのみに対して、第２の設定されたＫ０値セットでスケジューリングすることができる。
【００６６】
図１０は、検索空間Ｘでは最初のみクロススロットスケジューリング（Ｋ０＞０）が可能であり、ＵＥがＰＤＳＣＨを受信し、ＨＡＲＱフィードバックを送出し、次にＵＥに同一スロットスケジューリング（Ｋ０＝０）をスケジューリングすることができる、一例を示している。
【００６７】
上述の例では、ＵＥが最初に第１の設定されたＫ０値セットを有するＤＣＩを探している場合、ＵＥは、ＰＤＳＣＨが次のスロットでのみスケジューリングされると予測されることが分かっているので、所与のスロットでＰＤＣＣＨをバッファリングした直後にスリープ状態に入ることができる。ＵＥはこれを前もって良好に（たとえば、ＰＤＣＣＨを復号し、停止又は留保を決定する必要なく）知ることができるので、省電力の機会は比較的大きい可能性がある。
【００６８】
基地局（たとえば、ｇＮＢ）が決定をスケジューリングするのに応じて（たとえば、トラフィック／遅延要件／負荷に基づくことができる）、ＵＥが第２のＫ０値セットを使用することが可能になると、ＵＥは、ＰＤＣＣＨを復号し、次に停止するか又は留保するかを決定しなければならないので、所与のスロットにおいてＰＤＣＣＨをバッファリングした直後にスリープ状態に入れなくなることがある。したがって、ＵＥがより迅速にデータの送受信を完了し、第１のＫ０値セットと関連付けられたＰＤＣＣＨのみの監視に戻ることができる場合、エネルギー削減の機会もあり得る。
【００６９】
一部の実施形態では、ＵＥは、第１のＫ０値セットを使用して、検索空間ＸにおいてＤＣＩを探し始めることができる。ＵＥは検索空間ＸにおいてＰＤＳＣＨでスケジューリングされ、ＵＥは、特定のフィードバック（たとえば、ＨＡＲＱ−ＡＣＫ）を報告することができ、ＵＥは、検索空間ＸでＤＣＩを探し始めることができ、第２のＫ０値セットを使用できるようにされる。
【００７０】
一部の実施形態では、ＵＥは、ＰＳＭモードのとき、第１のＫ０値セットを有する検索空間Ｘを探し、ＵＥは、非ＰＳＭモードのとき、第２のＫ０値セットを有する検索空間Ｘを探す。その回数後に非ＰＳＭからＰＳＭへの移行が行われる監視オケージョンの回数は、そのスロット後にＵＥがＤＲＸに戻る、ＰＤＳＣＨを有さない監視スロットの数よりも少ないことが可能である。図１１は、これに関するＵＥの動作を示すフローチャートである。図示されるように、ＵＥは第１の出力モード（たとえば、ＰＳＭ）に入る（ステップ１１００）。第１の出力モードの間、ＵＥは、特定の検索空間におけるスロットのＰＤＣＣＨを監視する（ステップ１１０２）。第１の出力モードは、第１の最小Ｋ０値（又は、たとえば最小Ｋ０値によって規定される、第１のＫ０値セット）と関連付けられる。上述したように、ＵＥは、検索空間で検出されたＰＤＣＣＨのＤＣＩによってスケジューリングされたＰＤＳＣＨが、第１の最小Ｋ０値以上の（又は、たとえば第１の最小Ｋ０値によって規定される、第１のＫ０値セットの１つである）スケジューリング遅延を有すると仮定し、上述したように、その仮定に基づいて、消費電力に影響する特定の操作を行うことができる。その後のある時点で、ＵＥは、第２の出力モード（たとえば、非ＰＳＭ）に入る（たとえば、切り替わる）（ステップ１１０４）。第２の出力モードは、第１の最小Ｋ０値とは異なる第２の最小Ｋ０値（又は、たとえば第２の最小Ｋ０値によって規定される、第２のＫ０値セット）と関連付けられる。後述するように、ＵＥは、（たとえば、後述するような、様々な基準のいずれか１つ若しくはいずれかの組合せに基づいて）第１の出力モードから第２の出力モードに移行すべきだと判定すると、第２の出力モードに入る。このようにして、ＵＥは、第１の出力モードと関連付けられた第１のスケジューリング遅延の仮説から、第２の出力モードと関連付けられた第２のスケジューリング遅延の仮説へと切り替えるべきだと判定する。第２の出力モードの間、ＵＥは、同じ検索空間におけるスロットのＰＤＣＣＨを監視する（ステップ１１０６）。上述したように、ＵＥは、検索空間で検出されたＰＤＣＣＨのＤＣＩによってスケジューリングされたＰＤＳＣＨが、第２の最小Ｋ０値以上の（又は、たとえば第２の最小Ｋ０値によって規定される、第２のＫ０値セットの１つである）スケジューリング遅延を有すると仮定し、上述したように、その仮定に基づいて、消費電力に影響する特定の操作を行うことができる。
【００７１】
ＵＥは、以下の基準の１つ又は複数に基づいて、ＰＳＭから非ＰＳＭモードに移行すると予測することができる。
・ＵＥが、同期信号（ＳＳ）ＸのＰＤＣＣＨによってスケジューリングされたＰＤＳＣＨに対してＡＣＫを送信する。
・ＵＥが、ＳＳ  Ｘを介してスケジューリングされたメッセージを受信して、ＰＳＭから通常モードに移行する。
・現在のＤＲＸサイクルの終了後。
・Ｏｎｄｕｒａｔｉｏｎの開始時。
【００７２】
非ＰＳＭからＰＳＭへの移行はタイマーに基づくことができ、タイマーの時間切れは、設定された監視オケージョンの回数においてＰＤＣＣＨを受信しないことに依存することができる。さらなる移行の基準、たとえば図７に関して記載した基準も使用されてもよい。
【００７３】
特定の実施形態では、検索空間ＸはＵＥ固有の検索空間である。検索空間Ｘは、ＰＳＭモードのとき、第１のＫ０値セットと関連付けられる。検索空間Ｘは、非ＰＳＭモードのとき、第２のＫ０値セットと関連付けられる。
【００７４】
検索空間ＸによるＰＤＣＣＨ送信は、ＰＳＭモードのとき、第１のＫ０値セットを使用して実施される。検索空間ＸによるＰＤＣＣＨ送信は、非ＰＳＭモードのとき、第２のＫ０値セットを使用して実施される。
【００７５】
検索空間Ｘは第１のＫ０値セットと関連付けられ、ＵＥは、検索空間のＤＣＩに対するＡＣＫを送出し、次にＵＥは、検索空間のＤＣＩを探し、次に検索空間Ｘは第２のＫ０値セットと関連付けられる。換言すれば、一部の実施形態では、ＵＥは、第１のＫ０値セットの仮説を用いて、検索空間ＸのＰＤＣＣＨを監視する。ＰＤＣＣＨを検出し、ＰＤＣＣＨに含まれるＤＣＩによってスケジューリングされた対応するＰＤＳＣＨを受信すると、ＵＥはＡＣＫを送出する。その後、ＵＥは、第２のＫ０値セットの仮説を用いて、同じ検索空間Ｘの後のスロットでＰＤＣＣＨを監視する。
【００７６】
ＵＥは、検索空間Ｘ内でＤＣＩを探し、第１のＫ０値セットのみを適用し、ＵＥは、検索空間のＤＣＩに対してＡＣＫを送出し、次にＵＥは、検索空間内でＤＣＩを探し、検索空間Ｘに対して第１及び第２のＫ０値セットを適用することができる。換言すれば、一部の実施形態では、ＵＥは、第１のＫ０値セットの仮説を用いて、検索空間ＸのＰＤＣＣＨを監視する。ＰＤＣＣＨを検出し、ＰＤＣＣＨに含まれるＤＣＩによってスケジューリングされた対応するＰＤＳＣＨを受信すると、ＵＥはＡＣＫを送出する。その後、ＵＥは、第１及び第２両方のＫ０値セットの仮説を用いて、同じ検索空間Ｘの後のスロットでＰＤＣＣＨを監視する。
【００７７】
第１のＫ０値セットはＫ０＞０であることができる。第２のＫ０値セットはＫ０＝０を含むことができる。第１のＫ０値セットはＫ０＞Ｘであることができ、ここでＸはＵＥ能力のシグナリングであることができ、潜在的にニューメロロジーなどに依存する。第２のＫ０値セットはＫ０≦Ｘを含むことができ、ここでＸはＵＥ能力のシグナリングであることができ、潜在的にニューメロロジーなどに依存する。
【００７８】
上述した実施形態はすべてのスケジューリングの例に適用することができる。それに加えて、ＰＤＳＣＨは、ＰＤＣＣＨに対するＰＤＳＣＨの他の位置でＫ０＞１が使用されるとき、Ｋ０＞１を超える制限なしに、ＰＤＣＣＨが監視されるシンボルにおいてスケジューリングすることができる。それに加えて、ＰＤＳＣＨは、ＰＤＣＣＨに対するＰＤＳＣＨの他の位置でＫ０＞１が使用されるとき、Ｋ０＞１を超える制限なしに、ＰＤＣＣＨが監視されるシンボルに隣接するシンボルにおいてスケジューリングすることができる。これにより、両方の例に関して図１２及び１３に示されるように、著しい追加の消費電力なしに、低データレート又は狭い時間幅のＰＤＳＣＨをスケジューリングすることが可能になる。
【００７９】
上述した実施形態の場合、いくつかのシナリオでは、ＵＥ側の支援情報がネットワークにとって有益な場合がある。たとえば、ＵＥは、省電力プロファイルに関して、好ましいＫ０値セットに対する嗜好を記述することができる。
・省電力を可能にすることができる最小Ｋ０能力。
・ＵＥによって示される好ましいＫ０値。
・ＵＥによって示されるスロット長インジケータ値（ＳＬＩＶ）。
・タイプＡのＰＤＳＣＨマッピング及び／又は第１のＣＯＲＥＳＥＴ及び／又は検索空間設定に対するＵＥによって示されるＳＬＩＶ。
・タイプＢのＰＤＳＣＨマッピング及び／又は第１のＣＯＲＥＳＥＴ及び／又は検索空間設定に対するＵＥによって示されるＳＬＩＶ。
【００８０】
Ｋ０値は一般的に、ＳＬＩＶによって示すことができる。特定の例では、ＵＥは、第１のＳＬＩＶセットが第１のＣＯＲＥＳＥＴ／検索空間設定で設定された場合、値Ａの分の消費電力を低減でき、第２のＳＬＩＶセットが第２のＣＯＲＥＳＥＴ／検索空間設定で設定された場合、値Ｂの分の消費電力を低減できることを示すことができる。ＵＥは、ｇＮＢがそのスケジューリング決定を行うのに利用することができるような複数のセットを示すことができる。
【００８１】
ＵＥは、好ましいスパン（ＰＤＣＣＨが監視される連続したシンボル）と、好ましいスパンと関連付けられるＳＬＩＶに関する情報とを示してもよい。たとえば、ＵＥは、消費電力の低減に関して、以下の設定の１つ又は複数を嗜好する可能性があることを示すことができる。
・第１の設定：シンボル２つ分のスパンで、１４個のシンボルの周期性を監視し、ＳＬＩＶがＫ０＝０に対応し、ＰＤＳＣＨ割当ての長さがシンボル２つであり、Ｋ０＞１であり、ＰＤＳＣＨの長さがシンボル２〜１４個分である。
・第２の設定：シンボル１つ分のスパンで、１４個のシンボルの周期性を監視し、ＳＬＩＶがＫ０＞１に対応し、ＰＤＳＣＨの長さがシンボル２〜１４個分である。
・第３の設定：シンボル３つ分のスパンで、１４個のシンボルの周期性を監視し、ＳＬＩＶがＫ０＝１に対応し、ＰＤＳＣＨ割当ての長さがシンボル４つであり、Ｋ０＞１であり、ＰＤＳＣＨの長さがシンボル２〜１４個分である。
【００８２】
ＵＥはまた、ネットワークが、ＵＥ消費電力特性を考慮しながら適切なスケジューリングの選択を行うのに使用することができる、優先順位又は追加情報を示すことができる。
【００８３】
特定の実施形態では、第１及び第２のＫ０値セットはＵＥ指示に基づいて決定される。ＵＥ指示は、第１の省電力プロファイルに対応する第１のＫ０値閾値と、第２の省電力プロファイルに対応する第２のＫ０値閾値とを示す、能力シグナリングを含むことができる。能力シグナリングの指示は、ＰＤＳＣＨニューメロロジーのみ、又はＰＤＣＣＨ及びＰＤＳＣＨニューメロロジーに依存する、対応しているニューメロロジー（サブキャリア間隔（ＳＣＳ））に依存することができる。
【００８４】
これに関して、図１４は、本明細書に記載する一部の実施形態による、ＵＥがＵＥ能力情報又はＵＥ指示をネットワークノードに提供する、ＵＥ及びネットワークノード（たとえば、基地局）の動作を示している。図示されるように、ＵＥはＵＥ側情報（たとえば、ＵＥ能力情報又はＵＥ指示）をネットワークノードに提供する（ステップ１４００）。ＵＥからネットワークノードに提供されてもよい情報のタイプの例は、上述されており、ここで適用可能である。ネットワークノードは、上述した実施形態によれば、ＵＥ側情報を使用して、たとえば、ＵＥに対する適切なスケジューリング決定を行う（ステップ１４０２）。
【００８５】
アップリンクグラントがＰＳＭでＵＥに送信されると、ＵＥは、ＰＳＭモードのままであることができ、又は（たとえば、ダウンリンクスケジューリングに関して上述した実施形態に従って）非ＰＳＭに切り替えるように設定することもできる。
【００８６】
本明細書に記載の主題は、任意の適切な構成要素を使用する任意の適切なタイプのシステムにおいて実装され得るが、本明細書で開示される実施形態は、図１５に示された例示的ワイヤレスネットワークなど、ワイヤレスネットワークに関連して説明される。簡単にするために、図１５のワイヤレスネットワークは、ネットワーク１５０６、ネットワークノード１５６０及び１５６０ｂ、並びにＷＤ１５１０、１５１０ｂ、及び１５１０ｃのみを示す。実際には、ワイヤレスネットワークは、ワイヤレスデバイス間の通信或いはワイヤレスデバイスと固定電話、サービスプロバイダ、又は任意の他のネットワークノード若しくはエンドデバイスなどの別の通信デバイスとの間の通信をサポートするのに適した任意の付加的要素をさらに含み得る。図示された構成要素について、ネットワークノード１５６０及びワイヤレスデバイス（ＷＤ）１５１０は、さらに詳しく描かれている。ワイヤレスネットワークは、ワイヤレスネットワークによって又はこれを介して提供されるサービスへのワイヤレスデバイスのアクセス及び／又はそのようなサービスのワイヤレスデバイスの使用を円滑にするために、通信及び他のタイプのサービスを１つ又は複数のワイヤレスデバイスに提供し得る。
【００８７】
ワイヤレスネットワークは、任意のタイプの通信、電気通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又は手続きに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）及び／又は他の適切な第２、第３、第４、又は第５世代（２Ｇ、３Ｇ、４Ｇ、又は５Ｇ）標準などの通信標準、ＩＥＥＥ８０２．１１標準などのワイヤレスローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【００８８】
ネットワーク１５０６は、１つ又は複数のバックホールネットワーク、コアネットワーク、インターネットプロトコル（ＩＰ：ｉｎｔｅｒｎｅｔ  ｐｒｏｔｏｃｏｌ）ネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、ＷＬＡＮ、ワイヤードネットワーク、ワイヤレスネットワーク、メトロポリタンエリアネットワーク、及び、デバイス間の通信を可能にするための他のネットワークを備え得る。
【００８９】
ネットワークノード１５６０及びＷＤ１５１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【００９０】
本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、ｅＮＢ、及びｇＮＢ）を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、移動交換局（ＭＳＣ：ｍｏｂｉｌｅ  ｓｗｉｔｃｈｉｎｇ  ｃｅｎｔｅｒ）、モビリティ管理エンティティ（ＭＭＥ：ｍｏｂｉｌｉｔｙ  ｍａｎａｇｅｍｅｎｔ  ｅｎｔｉｔｙ））、動作及びメンテナンス（Ｏ＆Ｍ：ｏｐｅｒａｔｉｏｎ  ａｎｄ  ｍａｉｎｔｅｎａｎｃｅ）ノード、動作サポートシステム（ＯＳＳ：ｏｐｅｒａｔｉｏｎｓ  ｓｕｐｐｏｒｔ  ｓｙｓｔｅｍ）ノード、自己最適化ネットワーク（ＳＯＮ：ｓｅｌｆ−ｏｒｇａｎｉｚｉｎｇ  ｎｅｔｗｏｒｋ）ノード、ポジショニングノード（たとえば、エボルブドサービングモバイルロケーションセンタ（Ｅ−ＳＭＬＣ：ｅｖｏｌｖｅｄ  ｓｅｒｖｉｎｇ  ｍｏｂｉｌｅ  ｌｏｃａｔｉｏｎ  ｃｅｎｔｅｒ））、及び／又はドライブ試験の最小化（ＭＤＴ：ｍｉｎｉｍｉｚａｔｉｏｎ  ｏｆ  ｄｒｉｖｅ  ｔｅｓｔ）を含む。別の例として、ネットワークノードは、さらに詳しく後述するような仮想ネットワークノードでもよい。しかしながら、より一般的には、���ットワークノードは、ワイヤレスネットワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【００９１】
図１５において、ネットワークノード１５６０は、処理回路１５７０、デバイス可読媒体１５８０、インターフェース１５９０、補助機器１５８４、電源１５８６、電力回路１５８７、及びアンテナ１５６２を含む。図１５の例示的ワイヤレスネットワークに示されたネットワークノード１５６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード１５６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体１５８０は、複数の別個のハードドライブ並びに複数のランダムアクセスメモリ（ＲＡＭ：ｒａｎｄｏｍ  ａｃｃｅｓｓ  ｍｅｍｏｒｙ）モジュールを備え得る）。
【００９２】
同様に、ネットワークノード１５６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード１５６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード１５６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体１５８０）、いくつかの構成要素は再使用され得る（たとえば、同じアンテナ１５６２がＲＡＴによって共用され得る）。ネットワークノード１５６０はまた、たとえば、ＧＳＭ、広帯域符号分割多重化アクセス（ＷＣＤＭＡ：ｗｉｄｅｂａｎｄ  ｃｏｄｅ  ｄｉｖｉｓｉｏｎ  ｍｕｌｔｉｐｌｅ  ａｃｃｅｓｓ）、ＬＴＥ、ＮＲ、ＷｉＦｉ、又はブルートゥースワイヤレス技術など、ネットワークノード１５６０に統合された異なるワイヤレス技術のための様々な図示された構成要素の複数のセットを含み得る。これらのワイヤレス技術は、ネットワークノード１５６０内の同じ又は異なるチップ又はチップのセット及び他の構成要素内に統合され得る。
【００９３】
処理回路１５７０は、ネットワークノードによって提供されているものとして本明細書に記載された任意の判定、計算又は類似の動作（たとえば、ある種の取得動作）を実行するように設定される。処理回路１５７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路１５７０によって取得された情報を処理すること、並びに前記処理の結果として判定を行うことを含み得る。
【００９４】
処理回路１５７０は、マイクロプロセッサ、コントローラ、マイクロコントローラ、中央処理装置（ＣＰＵ）、デジタル信号プロセッサ（ＤＳＰ）、特定用途向け集積回路（ＡＳＩＣ）、フィールドプログラマブルゲートアレイ（ＦＰＧＡ）、又は任意の他の適切なコンピューティングデバイスのうちの１つ又は複数の組合せ、資源、或いは、単独で又はデバイス可読媒体１５８０などの他のネットワークノード１５６０構成要素と併せて、ネットワークノード１５６０機能を提供するように動作可能なハードウェア、ソフトウェア及び／又は符号化されたロジックの組合せを備え得る。たとえば、処理回路１５７０は、デバイス可読媒体１５８０に又は処理回路１５７０内のメモリに記憶された命令を実行し得る。そのような機能性は、本明細書で論じられる様々なワイヤレス特徴、機能、又は利益のいずれかの提供を含み得る。一部の実施形態では、処理回路１５７０は、システムオンチップ（ＳＯＣ）を含み得る。
【００９５】
一部の実施形態では、処理回路１５７０は、ＲＦトランシーバ回路１５７２及びベースバンド処理回路１５７４のうちの１つ又は複数を含み得る。一部の実施形態では、ＲＦトランシーバ回路１５７２及びベースバンド処理回路１５７４は、別個のチップ（又はチップのセット）、ボード、又は、無線ユニット及びデジタルユニットなどのユニット上でもよい。代替実施形態において、ＲＦトランシーバ回路１５７２及びベースバンド処理回路１５７４の一部又はすべては、同じチップ又はチップのセット、ボード、又はユニット上でもよい。
【００９６】
ある種の実施形態では、ネットワークノード、基地局、ｅＮＢ又は他のそのようなネットワークデバイスによって提供されているものとしての本明細書に記載の機能性の一部又はすべては、デバイス可読媒体１５８０又は処理回路１５７０内のメモリに記憶された命令を実行する処理回路１５７０によって実行され得る。代替実施形態において、機能性のうちの一部又はすべては、ハードワイヤード方式などで、別個の又はディスクリートデバイスの可読媒体に記憶された命令を実行することなしに処理回路１５７０によって提供され得る。それらの実施形態のいずれにおいてでも、デバイス可読記憶媒体に記憶された命令を実行してもしなくても、処理回路１５７０は、記載された機能を実行するように設定することができる。そのような機能によってもたらされる利益は、単独で処理回路１５７０に又はネットワークノード１５６０の他の構成要素に制限されないが、ネットワークノード１５６０全体によって、並びに／或いは一般にエンドユーザ及びワイヤレスネットワークによって享受される。
【００９７】
デバイス可読媒体１５８０は、処理回路１５７０によって使用され得る情報、データ、及び／又は命令を記憶する永続記憶装置、ソリッドステートメモリ、リモートに搭載されたメモリ、磁気媒体、光媒体、ＲＡＭ、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体１５８０は、コンピュータプログラム、ソフトウェア、ロジック、ルール、コード、テーブルなどのうちの１つ又は複数を含むアプリケーション、及び／又は処理回路１５７０によって実行することができる及びネットワークノード１５６０によって使用することができる他の命令を含む、任意の適切な命令、データ又は情報を記憶し得る。デバイス可読媒体１５８０は、処理回路１５７０によって行われる任意の計算及び／又はインターフェース１５９０を介して受信される任意のデータを記憶するために使用され得る。一部の実施形態では、処理回路１５７０及びデバイス可読媒体１５８０は、統合されると考えられ得る。
【００９８】
インターフェース１５９０は、ネットワークノード１５６０、ネットワーク１５０６、及び／又はＷＤ１５１０の間のシグナリング及び／又はデータのワイヤード又はワイヤレス通信において使用される。図示されているように、インターフェース１５９０は、たとえば、ワイヤード接続を介してネットワーク１５０６に及びネットワーク１５０６から、データを送信及び受信するために、ポート／端末１５９４を備える。インターフェース１５９０はまた、アンテナ１５６２に連結され得る又はある種の実施形態においてアンテナ１５６２の一部であることがある、無線フロントエンド回路１５９２を含む。無線フロントエンド回路１５９２は、フィルタ１５９８及び増幅器１５９６を備える。無線フロントエンド回路１５９２は、アンテナ１５６２及び処理回路１５７０に接続され得る。無線フロントエンド回路は、アンテナ１５６２と処理回路１５７０との間で通信される信号を調整するように設定され得る。無線フロントエンド回路１５９２は、ワイヤレス接続を介して他のネットワークノード又はＷＤに送出されることになるデジタルデータを受信し得る。無線フロントエンド回路１５９２は、フィルタ１５９８及び／又は増幅器１５９６の組合せを使用する適切なチャネル及び帯域幅パラメータを有する無線信号にデジタルデータを変換し得る。無線信号は、次いで、アンテナ１５６２を介して送信され得る。同様に、データを受信するとき、アンテナ１５６２は、次いで無線フロントエンド回路１５９２によってデジタルデータに変換される無線信号を収集し得る。デジタルデータは、処理回路１５７０に渡され得る。他の実施形態において、インターフェースは、異なる構成要素及び／又は異なる組合せの構成要素を備え得る。
【００９９】
ある種の代替実施形態において、ネットワークノード１５６０は、別個の無線フロントエンド回路１５９２を含まないことがあり、代わりに、処理回路１５７０が、無線フロントエンド回路を備え得、別個の無線フロントエンド回路１５９２なしにアンテナ１５６２に接続され得る。同様に、一部の実施形態では、すべての又は一部のＲＦトランシーバ回路１５７２は、インターフェース１５９０の一部と考えられ得る。さらに他の実施形態において、インターフェース１５９０は、１つ又は複数のポート又は端末１５９４、無線フロントエンド回路１５９２、並びにＲＦトランシーバ回路１５７２、無線ユニット（図示せず）の一部としての、を含み得、そして、インターフェース１５９０は、デジタルユニット（図示せず）の一部であるベースバンド処理回路１５７４と通信し得る。
【０１００】
アンテナ１５６２は、ワイヤレス信号を送信及び／又は受信するように設定された、１つ又は複数のアンテナ、又はアンテナアレイを含み得る。アンテナ１５６２は、無線フロントエンド回路１５９２に結合され得、ワイヤレスにデータ及び／又は信号を送信及び受信する能力を有する任意のタイプのアンテナでもよい。一部の実施形態では、アンテナ１５６２は、たとえば、２ギガヘルツ（ＧＨｚ）と６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、多入力多出力（ＭＩＭＯ：ｍｕｌｔｉｐｌｅ  ｉｎｐｕｔ  ｍｕｌｔｉｐｌｅ  ｏｕｔｐｕｔ）と称され得る。ある種の実施形態では、アンテナ１５６２は、ネットワークノード１５６０とは別個でもよく、インターフェース又はポートを介してネットワークノード１５６０に接続可能になり得る。
【０１０１】
アンテナ１５６２、インターフェース１５９０、及び／又は処理回路１５７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ１５６２、インターフェース１５９０、及び／又は処理回路１５７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【０１０２】
電力回路１５８７は、電力管理回路を備え得る、又はこれに連結され得、本明細書に記載の機能性を実行するための電力をネットワークノード１５６０の構成要素に供給するように設定される。電力回路１５８７は、電源１５８６から電力を受信し得る。電源１５８６及び／又は電力回路１５８７は、それぞれの構成要素に適した形でネットワークノード１５６０の様々な構成要素に電力を提供する（たとえば、それぞれの構成要素のために必要とされる電圧及び電流レベルで）ように設定され得る。電源１５８６は、電力回路１５８７及び／又はネットワークノード１５６０に含まれても、これらの外部でもよい。たとえば、ネットワークノード１５６０は、電気ケーブルなどの入力回路又はインターフェースを介して外部電源（たとえば、電気コンセント）に接続可能になり得、それにより、外部電源が電力回路１５８７に電力を供給する。さらなる例として、電源１５８６は、電力回路１５８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【０１０３】
ネットワークノード１５６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図１５に示されたものを超える追加の構成要素を含み得る。たとえば、ネットワークノード１５６０は、ネットワークノード１５６０への情報の入力を可能にするために、及びネットワークノード１５６０からの情報の出力を可能にするために、ユーザインターフェース機器を含み得る。これは、ネットワークノード１５６０のための診断、メンテナンス、修理、及び他の管理機能をユーザが実行することを可能にし得る。
【０１０４】
本明細書では、ＷＤは、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ＵＥと同義で本明細書において使用され得る。ワイヤレスに通信することは、電磁波、無線波、赤外線波、及び／又は電波を介して情報を伝えるのに適した他のタイプの信号を使用してワイヤレス信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）、車両搭載ワイヤレス端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の第３世代パートナーシッププロジェクト（３ＧＰＰ）標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ狭帯域物のインターネット（ＮＢ−ＩｏＴ：ｎａｒｒｏｗ  ｂａｎｄ  ＩｏＴ）標準を実装するＵＥでもよい。そのようなマシン又はデバイスの具体的な例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と称され得る。さらに、前述のようなＷＤは、モバイルでもよく、その場合、それはモバイルデバイス又はモバイル端末���も称され得る。
【０１０５】
図示されているように、ワイヤレスデバイス１５１０は、アンテナ１５１１、インターフェース１５１４、処理回路１５２０、デバイス可読媒体１５３０、ユーザインターフェース機器１５３２、補助機器１５３４、電源１５３６及び電力回路１５３７を含む。ＷＤ１５１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ１５１０によってサポートされる異なるワイヤレス技術のための、図示された構成要素のうちの１つ又は複数の構成要素の複数のセットを含み得る。これらのワイヤレス技術は、ＷＤ１５１０内の他の構成要素と同じ又は異なるチップ又はチップのセットに統合され得る。
【０１０６】
アンテナ１５１１は、ワイヤレス信号を送信及び／又は受信するように設定された１つ又は複数のアンテナ又はアンテナアレイを含み得、インターフェース１５１４に接続される。ある種の代替実施形態において、アンテナ１５１１は、ＷＤ１５１０とは別個でもよく、インターフェース又はポートを介してＷＤ１５１０に接続可能になり得る。アンテナ１５１１、インターフェース１５１４、及び／又は処理回路１５２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ１５１１は、インターフェースと考えられ得る。
【０１０７】
図示されているように、インターフェース１５１４は、無線フロントエンド回路１５１２及びアンテナ１５１１を備える。無線フロントエンド回路１５１２は、１つ又は複数のフィルタ１５１８及び増幅器１５１６を備える。無線フロントエンド回路１５１２は、アンテナ１５１１及び処理回路１５２０に接続され、アンテナ１５１１と処理回路１５２０との間で通信される信号を調整するように設定される。無線フロントエンド回路１５１２は、アンテナ１５１１に連結され得る、又はアンテナ１５１１の一部でもよい。一部の実施形態では、ＷＤ１５１０は、別個の無線フロントエンド回路１５１２を含まないことがあり、そうではなくて、処理回路１５２０は、無線フロントエンド回路を備え得、アンテナ１５１１に接続され得る。同様に、一部の実施形態では、ＲＦトランシーバ回路１５２２の一部又はすべては、インターフェース１５１４の一部と考えられ得る。無線フロントエンド回路１５１２は、ワイヤレス接続を介して他のネットワークノード又はＷＤに送出されることになるデジタルデータを受信し得る。無線フロントエンド回路１５１２は、フィルタ１５１８及び／又は増幅器１５１６の組合せを使用して適切なチャネル及び帯域幅パラメータを有する無線信号にデジタルデータを変換し得る。無線信号は、次いで、アンテナ１５１１を介して送信され得る。同様に、データを受信しているとき、アンテナ１５１１は、次いで無線フロントエンド回路１５１２によってデジタルデータに変換される、無線信号を収集し得る。デジタルデータは、処理回路１５２０に渡され得る。他の実施形態において、インターフェースは、異なる構成要素及び／又は異なる組合せの構成要素を備え得る。
【０１０８】
処理回路１５２０は、マイクロプロセッサ、コントローラ、マイクロコントローラ、ＣＰＵ、ＤＳＰ、ＡＳＩＣ、ＦＰＧＡ、又は任意の他の適切なコンピューティングデバイスのうちの１つ又は複数の組合せ、資源、或いは、単独で又はデバイス可読媒体１５３０などの他のＷＤ１５１０構成要素と連動して、ＷＤ１５１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路１５２０は、本明細書で開示される機能性を提供するために、デバイス可読媒体１５３０に又は処理回路１５２０内のメモリに記憶された命令を実行し得る。
【０１０９】
図示されているように、処理回路１５２０は、ＲＦトランシーバ回路１５２２、ベースバンド処理回路１５２４、及びアプリケーション処理回路１５２６のうちの１つ又は複数を含む。他の実施形態において、処理回路は、異なる構成要素及び／又は異なる組合せの構成要素を備え得る。ある種の実施形態では、ＷＤ１５１０の処理回路１５２０は、ＳＯＣを備え得る。一部の実施形態では、ＲＦトランシーバ回路１５２２、ベースバンド処理回路１５２４、及びアプリケーション処理回路１５２６は、別個のチップ又はチップのセット上にあることがある。代替実施形態において、ベースバンド処理回路１５２４及びアプリケーション処理回路１５２６の一部又はすべては、１つのチップ又はチップのセット内に結合され得、ＲＦトランシーバ回路１５２２は、別個のチップ又はチップのセット上にあってもよい。さらに代替実施形態において、ＲＦトランシーバ回路１５２２及びベースバンド処理回路１５２４の一部又はすべては、同じチップ又はチップのセット上にあることがあり、アプリケーション処理回路１５２６は、別個のチップ又はチップのセット上にあることがある。さらに他の代替実施形態において、ＲＦトランシーバ回路１５２２、ベースバンド処理回路１５２４、及びアプリケーション処理回路１５２６の一部又はすべては、同じチップ又はチップのセット内に結合され得る。一部の実施形態では、ＲＦトランシーバ回路１５２２は、インターフェース１５１４の一部でもよい。ＲＦトランシーバ回路１５２２は、処理回路１５２０のＲＦ信号を調整し得る。
【０１１０】
ある種の実施形態では、ＷＤによって実行されるものとして本明細書に記載の機能性の一部又はすべては、ある種の実施形態ではコンピュータ可読記憶媒体であることがある、デバイス可読媒体１５３０に記憶された命令を実行する処理回路１５２０によって提供され得る。代替実施形態において、機能性の一部の又はすべては、ハードワイヤード方式などで、別個の又はディスクリートデバイスの可読記憶媒体に記憶された命令を実行することなしに処理回路１５２０によって提供され得る。それらの特定の実施形態のいずれかにおいて、デバイス可読記憶媒体に記憶された命令を実行してもしなくても、処理回路１５２０は、記載された機能性を実行するように設定することができる。そのような機能性によって提供される利益は、単独で処理回路１５２０に又はＷＤ１５１０の他の構成要素に限定されず、全体としてのＷＤ１５１０によって、及び／又は一般にエンドユーザ及びワイヤレスネットワークによって、享受される。
【０１１１】
処理回路１５２０は、ＷＤによって実行されるものとして本明細書に記載された任意の決定、計算、又は類似の動作（たとえば、ある種の取得動作）を実行するように設定され得る。処理回路１５２０によって実行されるものとしての、これらの動作は、たとえば、取得された情報を他の情報に変換すること、取得された情報又は変換された情報をＷＤ１５１０によって記憶された情報と比較すること、及び／又は取得された情報又は変換された情報に基づいて１つ又は複数の動作を実行することにより、処理回路１５２０によって取得された情報を処理すること、並びに前記処理の結果として判定を行うことを含み得る。
【０１１２】
デバイス可読媒体１５３０は、コンピュータプログラム、ソフトウェア、ロジック、ルール、コード、テーブルなどのうちの１つ又は複数を含むアプリケーション及び／又は処理回路１５２０によって実行することが可能な他の命令を記憶するように動作可能になり得る。デバイス可読媒体１５３０は、コンピュータメモリ（たとえば、ＲＡＭ又はＲＯＭ）、大容量記憶媒体（たとえば、ハードディスク）、取り外し可能記憶媒体（たとえば、ＣＤ又はＤＶＤ）、及び／又は処理回路１５２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路１５２０及びデバイス可読媒体１５３０は、統合されたものとして考えられ得る。
【０１１３】
ユーザインターフェース機器１５３２は、人間のユーザがＷＤ１５１０と相互作用することを可能にする構成要素を提供し得る。そのような相互作用は、視覚、聴覚、触覚などの多数の形態をとり得る。ユーザインターフェース機器１５３２は、ユーザへの出力を生み出すように及びユーザが入力をＷＤ１５１０に提供することを可能にするように動作可能になり得る。相互作用のタイプは、ＷＤ１５１０にインストールされたユーザインターフェース機器１５３２のタイプに応じて変化し得る。たとえば、ＷＤ１５１０がスマートフォンである場合には、相互作用はタッチスクリーンを介し得、ＷＤ１５１０がスマートメータである場合には、相互作用は、使用量（たとえば、使用されたガロン数）を提供するスクリーン又は警報音を提供する（たとえば、煙が検知された場合に）スピーカを介し得る。ユーザインターフェース機器１５３２は、入力インターフェース、デバイス及び回路と、出力インターフェース、デバイス及び回路とを含み得る。ユーザインターフェース機器１５３２は、ＷＤ１５１０への情報の入力を可能にするように設定され、処理回路１５２０に接続されて処理回路１５２０が入力情報を処理することを可能にする。ユーザインターフェース機器１５３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器１５３２はまた、ＷＤ１５１０からの情報の出力を可能にするように、及び処理回路１５２０がＷＤ１５１０から情報を出力することを可能にするように設定される。ユーザインターフェース機器１５３２は、たとえば、スピーカ、ディスプレイ、振動回路、ユニバーサルシリアルバス（ＵＳＢ：ｕｎｉｖｅｒｓａｌ  ｓｅｒｉａｌ  ｂｕｓ）ポート、ヘッドフォンインターフェース、又は他の出力回路を含み得る。ユーザインターフェース機器１５３２の１つ又は複数の入力及び出力インターフェース、デバイス、及び回路を使用し、ＷＤ１５１０は、エンドユーザ及び／又はワイヤレスネットワークと通信することができ、それらが本明細書に記載の機能性から利益を得ることを可能にし得る。
【０１１４】
補助機器１５３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器１５３４の構成要素の包含及びタイプは、実施形態及び／又はシナリオに応じて異なり得る。
【０１１５】
一部の実施形態では、電源１５３６は、バッテリ又はバッテリパックの形でもよい。外部電源（たとえば、電気コンセント）、光電池デバイス又は動力電池など、他のタイプの電源もまた使用され得る。ＷＤ１５１０はさらに、本明細書に記載又は示された任意の機能性を実行するために電源１５３６からの電力を必要とするＷＤ１５１０の様々な部分に電源１５３６から電力を届けるための電力回路１５３７を備え得る。ある種の実施形態では、電力回路１５３７は、電力管理回路を備え得る。電力回路１５３７は、付加的に又は別法として外部電源から電力を受信するように動作可能になり得、その場合、ＷＤ１５１０は、入力回路又は電気動力ケーブルなどのインターフェースを介して外部電源（電気コンセントなど）に接続可能になり得る。ある種の実施形態では、電力回路１５３７はまた、外部電源から電源１５３６に電力を届けるように動作可能になり得る。これは、たとえば、電源１５３６の充電のためでもよい。電力回路１５３７は、任意のフォーマッティング、変換、又は他の修正を電源１５３６からの電力に実行して、電力を、電力が供給される先のＷＤ１５１０のそれぞれの構成要素に適するようにさせることができる。
【０１１６】
図１６は、本明細書に記載する様々な態様による、ＵＥの一実施形態を示している。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ１６００は、ＮＢ−ＩｏＴ  ＵＥ、マシンタイプ通信（ＭＴＣ：ｍａｃｈｉｎｅ  ｔｙｐｅ  ｃｏｍｍｕｎｉｃａｔｉｏｎ）ＵＥ、及び／又は拡張ＭＴＣ（ｅＭＴＣ：ｅｎｈａｎｃｅｄ  ＭＴＣ）ＵＥを含む、３ＧＰＰによって識別された任意のＵＥでもよい。図１６に示されているような、ＵＥ１６００は、３ＧＰＰのＧＳＭ、ＵＭＴＳ、ＬＴＥ、及び／又は５Ｇ標準など、３ＧＰＰによって公表された１つ又は複数の通信標準による通信向けに設定されたＷＤの一例である。前述のように、ＷＤ及びＵＥという用語は、同義で使用され得る。したがって、図１６はＵＥであるが、本明細書で論じられる構成要素は、ＷＤに同等に適用可能であり、逆もまた同様である。
【０１１７】
図１６では、ＵＥ１６００は、入力／出力インターフェース１６０５、ＲＦインターフェース１６０９、ネットワーク接続インターフェース１６１１、ＲＡＭ１６１７、ＲＯＭ１６１９、及び記憶媒体１６２１などを含むメモリ１６１５、通信サブシステム１６３１、電源１６１３、及び／又は任意の他の構成要素、或いはその任意の組合せに動作可能なように連結された、処理回路１６０１を含む。記憶媒体１６２１は、オペレーティングシステム１６２３、アプリケーションプログラム１６２５、及びデータ１６２７を含む。他の実施形態において、記憶媒体１６２１は、他の類似のタイプの情報を含み得る。ある種のＵＥは、図１６に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【０１１８】
図１６では、処理回路１６０１は、コンピュータ命令及びデータを処理するように設定され得る。処理回路１６０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はＤＳＰなどの、１つ又は複数の記憶されたプログラム、汎用プロセッサ、或いは前記の任意の組合せを実装するように設定され得る。たとえば、処理回路１６０１は、２つのＣＰＵを含み得る。データは、コンピュータによる使用に適した形の情報でもよい。
【０１１９】
図示された実施形態では、入力／出力インターフェース１６０５は、通信インターフェースを入力デバイス、出力デバイス、或いは、入力及び出力デバイスに提供するように設定され得る。ＵＥ１６００は、入力／出力インターフェース１６０５を介して出力デバイスを使用するように設定され得る。出力デバイスは、入力デバイスと同じタイプのインターフェースポートを使用し得る。たとえば、ＵＳＢポートは、ＵＥ１６００への入力及びＵＥ１６００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ１６００は、ユーザがＵＥ１６００内に情報をキャプチャすることを可能にするために入力／出力インターフェース１６０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【０１２０】
図１６では、ＲＦインターフェース１６０９は、送信器、受信器、及びアンテナなどのＲＦ構成要素に通信インターフェースを提供するように設定され得る。ネットワーク接続インターフェース１６１１は、通信インターフェースをネットワーク１６４３ａに提供するように設定され得る。ネットワーク１６４３ａは、ＬＡＮ、ＷＡＮ、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク１６４３ａは、ＷｉＦｉネットワークを備え得る。ネットワーク接続インターフェース１６１１は、イーサネット、送信制御プロトコル（ＴＣＰ：ｔｒａｎｓｍｉｓｓｉｏｎ  ｃｏｎｔｒｏｌ  ｐｒｏｔｏｃｏｌ）／ＩＰ、同期光ネットワーク（ＳＯＮＥＴ：ｓｙｎｃｈｒｏｎｏｕｓ  ｏｐｔｉｃａｌ  ｎｅｔｗｏｒｋｉｎｇ）、非同期転送モード（ＡＴＭ：ａｓｙｎｃｈｒｏｎｏｕｓ  ｔｒａｎｓｆｅｒ  ｍｏｄｅ）などの１つ又は複数の通信プロトコルによる通信ネットワークを介して１つ又は複数の他のデバイスと通信するために使用される受信器及び送信器インターフェースを含むように設定され得る。ネットワーク接続インターフェース１６１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【０１２１】
ＲＡＭ１６１７は、オペレーティングシステム、アプリケーションプログラム、及びデバイスドライバなどのソフトウェアプログラムの実行中にデータ又はコンピュータ命令の記憶又はキャッシュを行うために処理回路１６０１にバス１６０２を介してインターフェースするように設定され得る。ＲＯＭ１６１９は、コンピュータ命令又はデータを処理回路１６０１に提供するように設定され得る。たとえば、ＲＯＭ１６１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体１６２１は、ＲＡＭ、ＲＯＭ、プログラマブルＲＯＭ（ＰＲＯＭ）、消去可能ＰＲＯＭ（ＥＰＲＯＭ）、電気的ＥＰＲＯＭ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体１６２１は、オペレーティングシステム１６２３、ウェブブラウザアプリケーションなどのアプリケーションプログラム１６２５、ウィジェット若しくはガジェットエンジン又は別のアプリケーション、及びデータファイル１６２７を含むように設定され得る。記憶媒体１６２１は、ＵＥ１６００によって使用するために、バラエティ豊かな様々なオペレーティングシステムのいずれか又はオペレーティングシステムの組合せを記憶し得る。
【０１２２】
記憶媒体１６２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックＲＡＭ（ＳＤＲＡＭ：ｓｙｎｃｈｒｏｎｏｕｓ  ｄｙｎａｍｉｃ  ＲＡＭ）、外部マイクロＤＩＭＭ  ＳＤＲＡＭ、加入者識別モジュール（ＳＩＭ：ｓｕｂｓｃｒｉｂｅｒ  ｉｄｅｎｔｉｔｙ  ｍｏｄｕｌｅ）若しくは取り外し可能ユーザ識別モジュール（ＲＵＩＭ：ｒｅｍｏｖａｂｌｅ  ｕｓｅｒ  ｉｄｅｎｔｉｔｙ  ｍｏｄｕｌｅ）などのスマートカードメモリ、他のメモリ、或いはその任意の組合せなどのいくつかの物理ドライブユニットを含むように設定され得る。記憶媒体１６２１は、ＵＥ１６００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体１６２１において有形に実施され得る。
【０１２３】
図１６において、処理回路１６０１は、通信サブシステム１６３１を使用するネットワーク１６４３ｂと通信するように設定され得る。ネットワーク１６４３ａ及びネットワーク１６４３ｂは、１つ又は複数の同じネットワーク或いは１つ又は複数の異なるネットワークでもよい。通信サブシステム１６３１は、ネットワーク１６４３ｂと通信するために使用される１つ又は複数のトランシーバを含むように設定され得る。たとえば、通信サブシステム１６３１は、ＩＥＥＥ８０２．１６、符号分割多重化アクセス（ＣＤＭＡ：ｃｏｄｅ  ｄｉｖｉｓｉｏｎ  ｍｕｌｔｉｐｌｅ  ａｃｃｅｓｓ）、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、ワイヤレス通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器１６３３及び／又は受信器１６３５を含み得る。さらに、各トランシーバの送信器１６３３及び受信器１６３５は、回路構成要素、ソフトウェア又はファームウェアを共用し得る、或いは別法として別個に実装され得る。
【０１２４】
図示された実施形態において、通信サブシステム１６３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム１６３１は、セルラ通信、ＷｉＦｉ通信、ブルートゥース通信、及びＧＰＳ通信を含み得る。ネットワーク１６４３ｂは、ＬＡＮ、ＷＡＮ、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク１６４３ｂは、セルラネットワーク、Ｗｉ−Ｆｉネットワーク、及び／又は近距離無線ネットワークでもよい。電源１６１３は、交流（ＡＣ）又は直流（ＤＣ）電力をＵＥ１６００の構成要素に提供するように設定され得る。
【０１２５】
本明細書に記載の特徴、利益及び／又は機能は、ＵＥ１６００の構成要素のうちの１つにおいて実装され得る、又はＵＥ１６００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム１６３１は、本明細書に記載の構成要素のいずれかを含むように設定され得る。さらに、処理回路１６０１は、バス１６０２を介してそのような構成要素のいずれかと通信するように設定され得る。別の例では、そのような構成要素のいずれかは、処理回路１６０１によって実行されたときに本明細書に記載の対応する機能を実行するメモリに記憶されたプログラム命令によって表され得る。別の例では、そのような構成要素のうちのいずれかの構成要素の機能性は、処理回路１６０１と通信サブシステム１６３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【０１２６】
図１７は、一部の実施形態によって実装される機能が仮想化され得る仮想化環境１７００を示す概略的ブロック図である。これに関連して、仮想化は、ハードウェアプラットフォーム、記憶デバイス及びネットワーク資源の仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、ワイヤレスデバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【０１２７】
一部の実施形態では、本明細書に記載の機能の一部又はすべては、ハードウェアノード１７３０のうちの１つ又は複数によってホストされる１つ又は複数の仮想環境１７００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【０１２８】
本機能は、本明細書で開示される実施形態のうちのいくつかの実施形態の特徴、機能、及び／又は利益のうちのいくつかを実装するように動作可能な１つ又は複数のアプリケーション１７２０（ソフトウェアインスタンス、仮想アプライアンス、ネットワーク機能、仮想ノード、仮想ネットワーク機能などと別称され得る）によって実装され得る。アプリケーション１７２０は、処理回路１７６０及びメモリ１７９０を備えるハードウェア１７３０を提供する仮想化環境１７００において実行される。メモリ１７９０は、処理回路１７６０によって実行可能な命令１７９５を含み、それにより、アプリケーション１７２０は、本明細書で開示される特徴、利益、及び／又は機能のうちの１つ又は複数を提供するように動作可能である。
【０１２９】
仮想化環境１７００は、民生（ＣＯＴＳ：ｃｏｍｍｅｒｃｉａｌ  ｏｆｆ−ｔｈｅ−ｓｈｅｌｆ）プロセッサ、専用ＡＳＩＣ、或いはデジタル若しくはアナログハードウェア構成要素又は専用プロセッサを含む任意の他のタイプの処理回路でもよい、１セットの１つ又は複数のプロセッサ又は処理回路１７６０を備えた、汎用又は専用ネットワークハードウェアデバイス１７３０を備える。各ハードウェアデバイスは、命令１７９５又は処理回路１７６０によって実行されるソフトウェアを一時的に記憶するための非永続メモリでもよいメモリ１７９０−１を備え得る。各ハードウェアデバイスは、物理ネットワークインターフェース１７８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）１７７０を備え得る。各ハードウェアデバイスはまた、ソフトウェア１７９５がそこに記憶された非一時的、永続的、マシン可読記憶媒体１７９０−２、及び／又は処理回路１７６０によって実行可能な命令を含み得る。ソフトウェア１７９５は、１つ又は複数の仮想化レイヤ１７５０（ハイパーバイザとも呼ばれる）のインスタンスを作成するためのソフトウェア、仮想マシン１７４０を実行するためのソフトウェア、並びに本明細書に記載の一部の実施形態に関連して記載された機能、特徴及び／又は利益をそれが実行することを可能にするソフトウェアを含む、任意のタイプのソフトウェアを含み得る。
【０１３０】
仮想マシン１７４０は、仮想処理、仮想メモリ、仮想ネットワーキング又はインターフェース及び仮想ストレージを備え、対応する仮想化レイヤ１７５０又はハイパーバイザによって実行され得る。仮想アプライアンス１７２０のインスタンスの異なる実施形態は、仮想マシン１７４０のうちの１つ又は複数で実装され得、実装形態は、異なる形で行われ得る。
【０１３１】
動作中、処理回路１７６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ１７５０のインスタンスを作成するために、ソフトウェア１７９５を実行する。仮想化レイヤ１７５０は、仮想マシン１７４０にネットワーキングハードウェアのように見える仮想オペレーティングプラットフォームを示し得る。
【０１３２】
図１７に示されるように、ハードウェア１７３０は、一般又は特定の構成要素を有するスタンドアロンネットワークノードでもよい。ハードウェア１７３０は、アンテナ１７２３を備え得、仮想化を介していくつかの機能を実装し得る。別法として、ハードウェア１７３０は、多数のハードウェアノードが連携する及び、とりわけアプリケーション１７２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）１７０２を介して管理される、ハードウェアのより大きなクラスタ（たとえば、データセンタ又はＣＰＥ内など）の一部でもよい。
【０１３３】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【０１３４】
ＮＦＶとの関連で、仮想マシン１７４０は、プログラムが物理的な非仮想化マシンで実行していたかのようにプログラムを実行する物理マシンのソフトウェア実装形態でもよい。それぞれの仮想マシン１７４０、及びその仮想マシンを実行するハードウェア１７３０のその部分は、それがその仮想マシン専用のハードウェア及び／又は他の仮想マシン１７４０とその仮想マシンによって共用されるハードウェアであれば、別個の仮想ネットワーク要素（ＶＮＥ）を形成する。
【０１３５】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ１７３０の最上部の１つ又は複数の仮想マシン１７４０において実行する特定のネットワーク機能を処理する責任を有し、図１７のアプリケーション１７２０に対応する。
【０１３６】
一部の実施形態では、１つ又は複数の送信器１７１２及び１つ又は複数の受信器１７１１をそれぞれ含む１つ又は複数の無線ユニット１７１０は、１つ又は複数のアンテナ１７２３に連結され得る。無線ユニット１７１０は、１つ又は複数の適切なネットワークインターフェースを介してハードウェアノード１７３０と直接通信することができ、無線アクセスノード又は基地局などの無線能力を有する仮想ノードを提供するために仮想構成要素と組み合わせて使用され得る。
【０１３７】
一部の実施形態では、一部のシグナリングは、別法としてハードウェアノード１７３０と無線ユニット１７１０との間の通信のために使用され得る制御システム１７２４の使用の影響を受け得る。
【０１３８】
図１８を参照すると、一実施形態によれば、通信システムは、無線アクセスネットワークなどのアクセスネットワーク１８１１及びコアネットワーク１８１４を備える、３ＧＰＰタイプのセルラネットワークなどの電気通信ネットワーク１８１０を含む。アクセスネットワーク１８１１は、それぞれが対応するカバレッジエリア１８１３ａ、１８１３ｂ、１８１３ｃを規定する、ＮｏｄｅＢ、ｅＮＢ、ｇＮＢ又は他のタイプのワイヤレスアクセスポイントなどの複数の基地局１８１２ａ、１８１２ｂ、１８１２ｃを備える。各基地局１８１２ａ、１８１２ｂ、１８１２ｃは、ワイヤード又はワイヤレス接続１８１５を介してコアネットワーク１８１４に接続可能である。カバレッジエリア１８１３ｃ内に置かれた第１のＵＥ１８９１は、対応する基地局１８１２ｃにワイヤレスで接続される又は対応する基地局１８１２ｃによってページングされるように設定され得る。カバレッジエリア１８１３ａ内の第２のＵＥ１８９２は、対応する基地局１８１２ａにワイヤレスに接続可能である。複数のＵＥ１８９１、１８９２が本例では図示されているが、開示される実施形態は、唯一のＵＥがカバレッジエリア内にある又は唯一のＵＥが対応する基地局１８１２に接続している状況に同等に適用可能である。
【０１３９】
電気通信ネットワーク１８１０自体は、ホストコンピュータ１８３０に接続され、ホストコンピュータ１８３０は、スタンドアロンサーバ、クラウド実装されたサーバ、分散型サーバのハードウェア及び／又はソフトウェアにおいて或いはサーバファーム内の処理資源として実施され得る。ホストコンピュータ１８３０は、サービスプロバイダの所有権又は制御の下にあってもよく、或いはサービスプロバイダによって又はサービスプロバイダのために動作させられ得る。電気通信ネットワーク１８１０とホストコンピュータ１８３０との接続１８２１及び１８２２は、コアネットワーク１８１４からホストコンピュータ１８３０に直接延びてもよく、或いはオプションの中間ネットワーク１８２０を介してもよい。中間ネットワーク１８２０は、パブリックネットワーク、プライベートネットワーク又はホスト型ネットワークのうちの１つ、又はそれらのうちの２つ以上の組合せでもよく、中間ネットワーク１８２０は、もしあるなら、バックボーンネットワーク又はインターネットでもよく、具体的には、中間ネットワーク１８２０は、２つ以上のサブネットワーク（図示せず）を備え得る。
【０１４０】
全体としての図１８の通信システムは、接続されたＵＥ１８９１、１８９２及びホストコンピュータ１８３０の間の接続性を有効にする。接続性は、オーバーザトップ（ＯＴＴ：ｏｖｅｒ−ｔｈｅ−ｔｏｐ）接続１８５０として説明され得る。ホストコンピュータ１８３０及び接続されたＵＥ１８９１、１８９２は、媒介としてアクセスネットワーク１８１１、コアネットワーク１８１４、任意の中間ネットワーク１８２０及び可能なさらなるインフラストラクチャ（図示せず）を使用し、ＯＴＴ接続１８５０を介してデータ及び／又はシグナリングを通信するように設定される。ＯＴＴ接続１８５０は、ＯＴＴ接続１８５０が通過する参加通信デバイスはアップリンク及びダウンリンク通信のルーティングを認識しないという意味で、透過的になり得る。たとえば、基地局１８１２は、接続されたＵＥ１８９１に転送される（たとえば、ハンドオーバされる）ことになるホストコンピュータ１８３０に由来するデータとの着信ダウンリンク通信の過去のルーティングに関して知らされないことがある、又は知らされる必要はない。同様に、基地局１８１２は、ＵＥ１８９１からホストコンピュータ１８３０に向けて始められる外向きのアップリンク通信の未来のルーティングを認識する必要はない。
【０１４１】
前段落で論じられたＵＥ、基地局及びホストコンピュータの一実施形態による例示的実装形態について、図１９を参照して、ここで説明する。通信システム１９００では、ホストコンピュータ１９１０は、通信システム１９００の異なる通信デバイスのインターフェースとのワイヤード又はワイヤレス接続をセットアップ及び維持するように設定された通信インターフェース１９１６を含むハードウェア１９１５を備える。ホストコンピュータ１９１０はさらに、ストレージ及び／又は処理能力を有し得る処理回路１９１８を備える。具体的には、処理回路１９１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ１９１０はさらに、ホストコンピュータ１９１０に記憶された若しくはこれによってアクセス可能な及び処理回路１９１８によって実行可能な、ソフトウェア１９１１を備える。ソフトウェア１９１１は、ホストアプリケーション１９１２を含む。ホストアプリケーション１９１２は、ＵＥ１９３０及びホストコンピュータ１９１０で終了するＯＴＴ接続１９５０を介して接続するＵＥ１９３０など、リモートユーザにサービスを提供するように動作可能になり得る。サービスのリモートユーザへの提供において、ホストアプリケーション１９１２は、ＯＴＴ接続１９５０を使用して送信されるユーザデータを提供し得る。
【０１４２】
通信システム１９００はさらに、電気通信システムにおいて提供される並びにホストコンピュータ１９１０と及びＵＥ１９３０とそれが通信することを可能にするハードウェア１９２５を備える、基地局１９２０を含む。ハードウェア１９２５は、通信システム１９００の異なる通信デバイスのインターフェースとのワイヤード又はワイヤレス接続をセットアップ及び維持するための通信インターフェース１９２６、並びに基地局１９２０によってサービスされるカバレッジエリア（図１９には図示せず）内に置かれたＵＥ１９３０とのワイヤレス接続１９７０を少なくともセットアップ及び維持するための無線インターフェース１９２７を含み得る。通信インターフェース１９２６は、ホストコンピュータ１９１０への接続１９６０を円滑にするように設定され得る。接続１９６０は直接でもよく、或いは、接続１９６０は、電気通信システムのコアネットワーク（図１９には図示せず）を通過及び／又は電気通信システム外部の１つ又は複数の中間ネットワークを通過してもよい。示された実施形態では、基地局１９２０のハードウェア１９２５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路１９２８を含む。基地局１９２０はさらに、内部に記憶された又は外部接続を介してアクセス可能なソフトウェア１９２１を有する。
【０１４３】
通信システム１９００はさらに、すでに参照されたＵＥ１９３０を含む。それのハードウェア１９３５は、ＵＥ１９３０が現在位置するカバレッジエリアにサービスする基地局とのワイヤレス接続１９７０をセットアップ及び維持するように設定された無線インターフェース１９３７を含み得る。ＵＥ１９３０のハードウェア１９３５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路１９３８を含む。ＵＥ１９３０はさらに、ＵＥ１９３０に記憶された若しくはこれによってアクセス可能な及び処理回路１９３８によって実行可能なソフトウェア１９３１を備える。ソフトウェア１９３１は、クライアントアプリケーション１９３２を含む。クライアントアプリケーション１９３２は、ホストコンピュータ１９１０のサポートを有して、ＵＥ１９３０を介して人間又は非人間ユーザにサービスを提供するように動作可能になり得る。ホストコンピュータ１９１０では、実行中のホストアプリケーション１９１２は、ＵＥ１９３０及びホストコンピュータ１９１０で終了するＯＴＴ接続１９５０を介して実行中のクライアントアプリケーション１９３２と通信し得る。ユーザへのサービス提供において、クライアントアプリケーション１９３２は、ホストアプリケーション１９１２から要求データを受信し、要求データに応答してユーザデータを提供することができる。ＯＴＴ接続１９５０は、要求データ及びユーザデータの両方を転送することができる。クライアントアプリケーション１９３２は、ユーザと相互作用して、それが提供するユーザデータを生成することができる。
【０１４４】
図１９に示されたホストコンピュータ１９１０と、基地局１９２０と、ＵＥ１９３０とは、それぞれ、図１８のホストコンピュータ１８３０と、基地局１８１２ａ、１８１２ｂ、１８１２ｃのうちの１つと、ＵＥ１８９１、１８９２のうちの１つと類似する又は同一であってもよいことに留意されたい。即ち、これらのエンティティの内部の動きは、図１９に示されるようでもよく、独立して、周囲のネットワークトポロジは、図１８のそれでもよい。
【０１４５】
図１９において、ＯＴＴ接続１９５０は、媒介デバイスの明示的参照及びこれらのデバイスを介するメッセージの正確なルーティングなしに、基地局１９２０を介するホストコンピュータ１９１０とＵＥ１９３０との通信を説明するために抽象的に描かれてある。ネットワークインフラストラクチャは、ルーティングを判定することができ、それは、ＵＥ１９３０から若しくはサービスプロバイダオペレーティングホストコンピュータ１９１０から又はその両方から隠すように設定され得る。ＯＴＴ接続１９５０がアクティブである間、ネットワークインフラストラクチャは、それがルーティングを動的に変更する判定（たとえば、ネットワークの負荷バランシング検討又は再設定に基づく）をさらに行うことができる。
【０１４６】
ＵＥ１９３０と基地局１９２０との間のワイヤレス接続１９７０は、本開示を通じて説明される実施形態の教示に従う。様々な実施形態のうちの１つ又は複数は、ワイヤレス接続１９７０が最後のセグメントを形成する、ＯＴＴ接続１９５０を使用してＵＥ１９３０に提供されるＯＴＴサービスのパフォーマンスを改善する。より正確には、これらの実施形態の教示は、レイテンシ及び消費電力を改善し、それによって、ユーザ待機時間の低減、より良好な応答性、電池寿命の延長などの利益を提供することができる。
【０１４７】
測定手続きは、１つ又は複数の実施形態が改善するモニタリングデータレート、レイテンシ及び他の要因を目的として、提供され得る。測定結果の変動に応答して、ホストコンピュータ１９１０とＵＥ１９３０との間のＯＴＴ接続１９５０を再設定するためのオプションのネットワーク機能性がさらに存在し得る。測定手続き及び／又はＯＴＴ接続１９５０を再設定するためのネットワーク機能性は、ホストコンピュータ１９１０のソフトウェア１９１１及びハードウェア１９１５において、又はＵＥ１９３０のソフトウェア１９３１及びハードウェア１９３５において、又はその両方で実装され得る。実施形態において、センサ（図示せず）は、ＯＴＴ接続１９５０が通過する通信デバイスにおいて又はそのような通信デバイスに関連して配備され得、センサは、上記で例示されたモニタされる数量の値を供給すること、或いはそこからソフトウェア１９１１、１９３１がモニタされる数量を計算又は推定し得る他の物理数量の値を供給することによって、測定手続きに参加し得る。ＯＴＴ接続１９５０の再設定は、メッセージフォーマット、再送信設定、好ましいルーティングなどを含み得、再設定は基地局１９２０に影響を及ぼす必要はなく、そして、それは基地局１９２０に知られてなくても又は感知できなくてもよい。そのような手続き及び機能性は、当分野では知られており、実施されることがある。ある種の実施形態では、測定は、スループット、伝搬時間、レイテンシなどのホストコンピュータ１９１０の測定を円滑にする占有ＵＥシグナリングを含み得る。ソフトウェア１９１１及び１９３１が、ＯＴＴ接続１９５０を使用し、それが伝搬時間、エラーなどをモニタする間に、メッセージ、具体的には空の又は「ダミー」メッセージ、を送信させるので、測定は実装され得る。
【０１４８】
図２０は、１つの実施形態による、通信システムにおいて実装される方法を示す流れ図である。通信システムは、図１８及び１９を参照して説明されるものでもよいホストコンピュータ、基地局及びＵＥを含む。本開示を簡単にするために、図２０のみの図面の参照が、このセクションに含まれることになる。ステップ２０１０において、ホストコンピュータはユーザデータを提供する。ステップ２０１０のサブステップ２０１１（オプションでもよい）では、ホストコンピュータは、ホストアプリケーションを実行することによって、ユーザデータを提供する。ステップ２０２０では、ホストコンピュータは、ユーザデータをＵＥに運ぶ送信を開始する。ステップ２０３０（オプションでもよい）では、基地局が、本開示を通して説明される実施形態の教示に従って、ホストコンピュータが開始した送信において運ばれたユーザデータをＵＥに送信する。ステップ２０４０（やはりオプションでもよい）で、ＵＥは、ホストコンピュータによって実行されるホストアプリケーションに関連するクライアントアプリケーションを実行する。
【０１４９】
図２１は、１つの実施形態による、通信システムにおいて実装される方法を示す流れ図である。通信システムは、図１８及び１９を参照して説明されるものでもよいホストコンピュータ、基地局及びＵＥを含む。本開示を簡単にするために、図２１の図面の参照のみが、このセクションに含まれることになる。本方法のステップ２１１０において、ホストコンピュータはユーザデータを提供する。オプションのサブステップ（図示せず）において、ホストコンピュータは、ホストアプリケーションを実行することによって、ユーザデータを提供する。ステップ２１２０で、ホストコンピュータは、ユーザデータをＵＥに運ぶ送信を開始する。送信は、本開示を通して説明される実施形態の教示によれば、基地局を通り得る。ステップ２１３０（オプションでもよい）で、ＵＥは、その送信で運ばれたユーザデータを受信する。
【０１５０】
図２２は、１つの実施形態による、通信システムにおいて実装される方法を示す流れ図である。通信システムは、図１８及び１９を参照して説明されるものでもよいホストコンピュータ、基地局及びＵＥを含む。本開示を簡単にするために、図２２の図面の参照のみが、このセクションに含まれることになる。ステップ２２１０（オプションでもよい）で、ＵＥは、ホストコンピュータによって提供された入力データを受信する。追加で又は別法として、ステップ２２２０で、ＵＥはユーザデータを提供する。ステップ２２２０のサブステップ２２２１（オプションでもよい）で、ＵＥは、クライアントアプリケーションを実行することによって、ユーザデータを提供する。ステップ２２１０のサブステップ２２１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式に関わらず、ＵＥは、サブステップ２２３０（オプションでもよい）で、ユーザデータのホストコンピュータへの送信を開始する。本方法のステップ２２４０において、ホストコンピュータは、本開示を通して説明される実施形態の教示によれば、ＵＥから送信されたユーザデータを受信する。
【０１５１】
図２３は、１つの実施形態による、通信システムにおいて実装された方法を示す流れ図である。通信システムは、図１８及び１９を参照して説明されるものでもよいホストコンピュータ、基地局及びＵＥを含む。本開示を簡単にするために、図２３の図面の参照のみが、このセクションに含まれることになる。ステップ２３１０（オプションでもよい）において、本開示を通して説明される実施形態の教示に従って、基地局は、ユーザデータをＵＥから受信する。ステップ２３２０（オプションでもよい）で、基地局は、受信されたユーザデータのホストコンピュータへの送信を開始する。ステップ２３３０（オプションでもよい）で、ホストコンピュータは、基地局によって開始された送信で運ばれたユーザデータを受信する。
【０１５２】
本明細書で開示される任意の適切なステップ、方法、特徴、機能、又は利益は、１つ又は複数の仮想装置の１つ又は複数の機能ユニット又はモジュールを介して実行され得る。各仮想装置は、いくつかのこれらの機能ユニットを備え得る。これらの機能ユニットは、１つ又は複数のマイクロプロセッサ又はマイクロコントローラを含み得る、処理回路、並びに、ＤＳＰ、専用デジタルロジックなどを含み得る、他のデジタルハードウェアを介して実装され得る。処理回路は、ＲＯＭ、ＲＡＭ、キャッシュメモリ、フラッシュメモリデバイス、光記憶デバイスなど、１つの又はいくつかのタイプのメモリを含み得る。メモリに記憶されたプログラムコードは、１つ若しくは複数の電気通信及び／又はデータ通信プロトコルを実行するプログラム命令、並びに本明細書に記載される技術の１つ若しくは複数を実施する命令を含む。一部の実装形態では、処理回路は、本開示の１つ又は複数の実施形態による対応する機能をそれぞれの機能的ユニットに実施させるのに使用されてもよい。
【０１５３】
ユニットという用語は、エレクトロニクス、電気デバイス、及び／又は電子デバイスの分野における従来の意味を有してもよく、たとえば、本明細書に記載されるような、それぞれのタスク、手順、計算、出力、及び／又は表示機能などを実施する、電気及び／又は電子回路、デバイス、モジュール、プロセッサ、メモリ、論理固体及び／又は離散的デバイス、コンピュータプログラム又は命令を含んでもよい。
【０１５４】
本開示のいくつかの例示の実施形態は以下の通りである。
【０１５５】
グループＡ実施形態
【０１５６】
実施形態１：クロススロットスケジューリングのためにワイヤレスデバイスによって実施される方法であって、任意の受信されたダウンリンクスケジューリングが、第１のスケジューリング遅延後に行われるようにダウンリンク送信をスケジューリングすることができる、ダウンリンクスケジューリング情報に関してダウンリンク制御チャネルを監視することと、第１のスケジューリング遅延に従って、第１のデータ送信に関する第１のダウンリンクスケジューリング情報を受信することと、スケジューリングされた時間に第１のデータ送信を受信することと、任意の受信されたダウンリンクスケジューリングが、第１のスケジューリング遅延よりも短い第２のスケジューリング遅延後に行われるようにダウンリンク送信をスケジューリングすることができる、ダウンリンクスケジューリング情報に関してダウンリンク制御チャネルを監視することとを含む、方法。
【０１５７】
実施形態２：第１のスケジューリング遅延を仮定してダウンリンク制御チャネルを監視することが、第１の検索空間を監視することを含み、第２のスケジューリング遅延を仮定してダウンリンク制御チャネルを監視することが、第２の検索空間を監視することを含む、実施形態１の方法。
【０１５８】
実施形態３：第２のスケジューリング遅延を仮定してダウンリンク制御チャネルを監視することが、第１の受信したデータ送信に対してＨＡＲＱ応答を送出した後に実施される、実施形態１〜２のいずれかの方法。
【０１５９】
実施形態４：第２のスケジューリング遅延を仮定してダウンリンク制御チャネルを監視することが、第１の受信したデータ送信に対してＨＡＲＱ  ＡＣＫ応答を送出した後に実施される、実施形態３の方法。
【０１６０】
実施形態５：閾値量の時間、第２のスケジューリング遅延を仮定してダウンリンク制御チャネルを監視した後、第１のスケジューリング遅延を仮定したダウンリンク制御チャネルの監視に戻ることをさらに含む、実施形態１〜４のいずれかの方法。
【０１６１】
実施形態６：閾値量の時間がＤＲＸ  ｏｎＤｕｒａｔｉｏｎの終了に対応する、実施形態５の方法。
【０１６２】
実施形態７：第１のスケジューリング遅延が１スロットよりも長く、第２のスケジューリング遅延が同じスロットである、実施形態１〜６のいずれかの方法。
【０１６３】
実施形態８：ユーザデータを提供することと、基地局への送信によってユーザデータをホストコンピュータに転送することとをさらに含む、上述の実施形態のいずれかの方法。
【０１６４】
グループＢ実施形態
【０１６５】
実施形態９：クロススロットスケジューリングのために基地局によって実施される方法であって、第１のスケジューリング遅延を含む第１のダウンリンクスケジューリング情報をワイヤレスデバイスに送出することと、第１のスケジューリング情報に従って、第１のデータ送信をワイヤレスデバイスに送信することと、第１のスケジューリング遅延よりも短い第２のスケジューリング遅延を含む、第２のダウンリンクスケジューリング情報をワイヤレスデバイスに送出することとを含む、方法。
【０１６６】
実施形態１０：第１のダウンリンクスケジューリング情報を送出することが、第１の検索空間で第１のダウンリンクスケジューリング情報を送出することを含み、第２のダウンリンクスケジューリング情報を送出することが、第２の検索空間で第２のダウンリンクスケジューリング情報を送出することを含む、実施形態９の方法。
【０１６７】
実施形態１１：第２のダウンリンクスケジューリング情報を送出することが、第１のデータ送信に対するＨＡＲＱ応答を受信した後に実施される、実施形態９〜１０のいずれかの方法。
【０１６８】
実施形態１２：第２のダウンリンクスケジューリング情報を送出することが、第１のデータ送信に対するＨＡＲＱ  ＡＣＫ応答を受信した後に実施される、実施形態１１の方法。
【０１６９】
実施形態１３：第１のスケジューリング遅延が１スロットよりも長く、第２のスケジューリング遅延が同じスロットである、実施形態１〜６のいずれかの方法。
【０１７０】
実施形態１４：ユーザデータを取得することと、ユーザデータをホストコンピュータ又はワイヤレスデバイスに転送することとをさらに含む、上述の実施形態のいずれかの方法。
【０１７１】
グループＣ実施形態
【０１７２】
実施形態１５：クロススロットスケジューリングのためのワイヤレスデバイスであって、以下を備えたワイヤレスデバイス：
−  グループＡ実施形態のうちのいずれかの実施形態のステップのうちのいずれかのステップを実行するように設定された処理回路と、
−  ワイヤレスデバイスに電力を供給するように設定された電源回路。
【０１７３】
実施形態１６：クロススロットスケジューリングのための基地局であって、以下を備えた基地局：
−  グループＢ実施形態のうちのいずれかの実施形態のステップのうちのいずれかのステップを実行するように設定された処理回路と、
−  ワイヤレスデバイスに電力を供給するように設定された電源回路。
【０１７４】
実施形態１７：クロススロットスケジューリングのためのユーザ機器（ＵＥ）であって、以下を備えたＵＥ：
−  ワイヤレス信号を送る及び受信するように設定されたアンテナと、
−  アンテナに及び処理回路に接続されており、アンテナと処理回路との間で通信される信号を調節するように設定された無線フロントエンド回路と、
−  グループＡ実施形態のうちのいずれかの実施形態のステップのうちのいずれかのステップを実行するように設定された処理回路と、
−  処理回路に接続されており、ＵＥへの情報の入力が処理回路によって処理されることを可能にするように設定された入力インターフェースと、
−  処理回路に接続されており、処理回路によって処理されたＵＥからの情報を出力するように設定された出力インターフェースと、
−  処理回路に接続されており、ＵＥに電力を供給するように設定されたバッテリ。
【０１７５】
実施形態１８：ユーザデータを提供するように設定された処理回路と、ユーザデータをセルラネットワークに転送して、ユーザ機器（ＵＥ）に送信するように設定された通信インターフェースとを備え、セルラネットワークが、無線インターフェース及び処理回路を有する基地局を備え、基地局の処理回路がグループＢ実施形態のいずれかにおけるステップのいずれかを実施するように設定された、ホストコンピュータを含む通信システム。
【０１７６】
実施形態１９：基地局をさらに含む、前の実施形態の通信システム。
【０１７７】
実施形態２０：さらにＵＥを含む、前の２つの実施形態の通信システム、そこで、ＵＥは基地局と通信するように設定される。
【０１７８】
実施形態２１：前の３つの実施形態の通信システム、そこで：
−  ホストコンピュータの処理回路は、ホストアプリケーションを実行するように設定され、それによってユーザデータを提供する、そして、
−  ＵＥは、ホストアプリケーションと関連するクライアントアプリケーションを実行するように設定された処理回路を備える。
【０１７９】
実施形態２２：ホストコンピュータ、基地局及びユーザ機器（ＵＥ）を含む通信システムにおいて実装される方法であって、以下を含む方法：
−  ホストコンピュータにおいて、ユーザデータを提供することと、
−  ホストコンピュータにおいて、基地局を備えたセルラネットワークを介してＵＥにユーザデータを運ぶ送信を開始すること、そこで、基地局は、グループＢ実施形態のうちのいずれかの実施形態のステップのうちのいずれかのステップを実行する。
【０１８０】
実施形態２３：基地局において、ユーザデータを送信することをさらに含む、前の実施形態の方法。
【０１８１】
実施形態２４：前の２つの実施形態の方法、そこで、ユーザデータは、ホストアプリケーションを実行することによってホストコンピュータにおいて提供され、本方法は、ＵＥにおいて、ホストアプリケーションと関連するクライアントアプリケーションを実行することをさらに含む。
【０１８２】
実施形態２５：基地局と通信するように設定されたユーザ機器（ＵＥ）であって、前の３つの実施形態のいずれかを実行するように設定された無線インターフェース及び処理回路を備えたＵＥ。
【０１８３】
実施形態２６：以下を備えた、ホストコンピュータを含む通信システム：
−  ユーザデータを提供するように設定された処理回路と、
−  ユーザ機器（ＵＥ）への送信のためにセルラネットワークにユーザデータを転送するように設定された通信インターフェース、
−  そこで、ＵＥは、無線インターフェース及び処理回路を備え、ＵＥの構成要素は、グループＡ実施形態のうちのいずれかの実施形態のステップのうちのいずれかのステップを実行するように設定される。
【０１８４】
実施形態２７：前の実施形態の通信システム、そこで、セルラネットワークは、ＵＥと通信するように設定された基地局をさらに含む。
【０１８５】
実施形態２８：前の２つの実施形態の通信システム、そこで：
−  ホストコンピュータの処理回路は、ホストアプリケーションを実行するように設定され、それによってユーザデータを提供する、そして、
−  ＵＥの処理回路は、ホストアプリケーションと関連するクライアントアプリケーションを実行するように設定される。
【０１８６】
実施形態２９：ホストコンピュータ、基地局及びユーザ機器（ＵＥ）を含む通信システムにおいて実装される方法であって、以下を含む方法：
−  ホストコンピュータにおいて、ユーザデータを提供することと、
−  ホストコンピュータにおいて、基地局を備えたセルラネットワークを介してＵＥにユーザデータを運ぶ送信を開始すること、そこで、ＵＥは、グループＡ実施形態のうちのいずれかの実施形態のステップのうちのいずれかのステップを実行する。
【０１８７】
実施形態３０：ＵＥにおいて、基地局からユーザデータを受信することをさらに含む、前の実施形態の方法。
【０１８８】
実施形態３１：以下を備えたホストコンピュータを含む通信システム：
−  ユーザ機器（ＵＥ）から基地局への送信に由来するユーザデータを受信するように設定された通信インターフェース、
−  そこで、ＵＥは、無線インターフェース及び処理回路を備え、ＵＥの処理回路は、グループＡ実施形態のうちのいずれかの実施形態のステップのうちのいずれかのステップを実行するように設定される。
【０１８９】
実施形態３２：ＵＥをさらに含む、前の実施形態の通信システム。
【０１９０】
実施形態３３：基地局をさらに含む、前の２つの実施形態の通信システムであって、そこで、基地局は、ＵＥと通信するように設定された無線インターフェースと、ＵＥから基地局への送信によって運ばれたユーザデータをホストコンピュータに転送するように設定された通信インターフェースとを含む。
【０１９１】
実施形態３４：前の３つの実施形態の通信システム、そこで：
−  ホストコンピュータの処理回路は、ホストアプリケーションを実行するように設定され、そして、
−  ＵＥの処理回路は、ホストアプリケーションと関連するクライアントアプリケーションを実行するように設定され、それによってユーザデータを提供する。
【０１９２】
実施形態３５：前の４つの実施形態の通信システム、そこで：
−  ホストコンピュータの処理回路は、ホストアプリケーションを実行するように設定され、それによって要求データを提供し、そして、
−  ＵＥの処理回路は、ホストアプリケーションと関連するクライアントアプリケーションを実行するように設定され、それによって要求データに応答してユーザデータを提供する。
【０１９３】
実施形態３６：ホストコンピュータ、基地局及びユーザ機器（ＵＥ）を含む通信システムにおいて実装される方法であって、以下を含む方法：
−  ホストコンピュータにおいて、ＵＥから基地局に送信されるユーザデータを受信すること、そこで、ＵＥは、グループＡ実施形態のうちのいずれかの実施形態のステップのうちのいずれかのステップを実行する。
【０１９４】
実施形態３７：ＵＥにおいて、基地局にユーザデータを提供することをさらに含む、前の実施形態の方法。
【０１９５】
実施形態３８：以下をさらに含む、前の２つの実施形態の方法：
−  ＵＥにおいて、クライアントアプリケーションを実行し、それによって送信されることになるユーザデータを提供することと、
−  ホストコンピュータにおいて、クライアントアプリケーションと関連するホストアプリケーションを実行すること。
【０１９６】
実施形態３９：ＵＥにおいて、クライアントアプリケーションを実行することと、ＵＥにおいて、クライアントアプリケーションと関連付けられたホストアプリケーションを実行することによってホストコンピュータで提供される、クライアントアプリケーションへの入力データを受信することとをさらに含み、送信されるユーザデータが、入力データに応答してクライアントアプリケーションによって提供される、上述の３つの実施形態の方法。
【０１９７】
実施形態４０：ユーザ機器（ＵＥ）から基地局への送信に由来するユーザデータを受信するように設定された通信インターフェースを備えたホストコンピュータを含む通信システム、そこで、基地局は、無線インターフェース及び処理回路を備え、基地局の処理回路は、グループＢ実施形態のうちのいずれかの実施形態のステップのうちのいずれかのステップを実行するように設定される。
【０１９８】
実施形態４１：基地局をさらに含む、前の実施形態の通信システム。
【０１９９】
実施形態４２：ＵＥをさらに含む、前の２つの実施形態の通信システム、そこで、ＵＥは、基地局と通信するように設定される。
【０２００】
実施形態４３：前の３つの実施形態の通信システム、そこで：
−  ホストコンピュータの処理回路は、ホストアプリケーションを実行するように設定され、
−  ＵＥは、ホストアプリケーションと関連するクライアントアプリケーションを実行するように設定され、それによって、ホストコンピュータによって受信されることになるユーザデータを提供する。
【０２０１】
実施形態４４：ホストコンピュータ、基地局及びユーザ機器（ＵＥ）を含む通信システムにおいて実装される方法であって、以下を含む方法：
−  ホストコンピュータにおいて、基地局がＵＥから受信した送信に由来するユーザデータを基地局から受信すること、そこで、ＵＥは、グループＡ実施形態のうちのいずれかの実施形態のステップのうちのいずれかのステップを実行する。
【０２０２】
実施形態４５：基地局において、ＵＥからユーザデータを受信することをさらに含む、前の実施形態の方法。
【０２０３】
実施形態４６：基地局において、受信されたユーザデータのホストコンピュータへの送信を開始することをさらに含む、前の２つの実施形態の方法。
【０２０４】
実施形態４７：セルラ電気通信ネットワークと通信するためのユーザ機器であって、第１の検索空間及び第２の検索空間を含む少なくとも２つの検索空間を規定し、第１の検索空間が第１の最小Ｋ０値を有し、第２の検索空間が第１の最小Ｋ０値とは異なる第２の最小Ｋ０値を有し、ＰＤＣＣＨ監視を少なくとも２つの検索空間の間で切り替えるように設定された、処理回路を備える、ユーザ機器。
【０２０５】
実施形態４８：セルラ電気通信ネットワークと通信するためのユーザ機器であって、第１のＫ０値セット及び第２のＫ０値セットを規定し、第１及び第２のＫ０値セットが両方とも第１の検索空間用であり、暗示的又は明示的な動的指示に基づいて、第１のセット及び第２のセットの間で切り替えるように設定された、処理回路を備える、ユーザ機器。
【０２０６】
略語
【０２０７】
以下の略語の少なくとも一部が本開示で使用されることがある。略語の間に不一致がある場合、上記でどのように使用されているかを優先するものとする。以下で複数回列挙されている場合、最初の列挙をその後の列挙よりも優先するものとする。
２Ｇ  第２世代
３Ｇ  第３世代
３ＧＰＰ  第３世代パートナーシッププロジェクト
４Ｇ  第４世代
５Ｇ  第５世代
ＡＣ  交流
ＡＣＫ  肯定応答
ＡＰ  アクセスポイント
ＡＳＩＣ  特定用途向け集積回路
ＡＴＭ  非同期転送モード
ＢＣＨ  ブロードキャストチャネル
ＢＳ  基地局
ＢＳＣ  基地局コントローラ
ＢＴＳ  基地局トランシーバ
ＢＷ  帯域幅
ＢＷＰ  帯域幅部分
ＣＤ  コンパクトディスク
ＣＤＭＡ  符号分割多重化アクセス
ＣＤＲＸ  接続モードＤＲＸ
ＣＯＲＥＳＥＴ  制御リソースセット
ＣＯＴＳ  商用オフザシェルフ
ＣＰＥ  顧客構内機器
ＣＰＵ  中央処理装置
ＣＲＣ  巡回冗長検査
Ｃ−ＲＮＴＩ  セル無線ネットワーク一時識別子
ＣＳ−ＲＮＴＩ  設定されるスケジューリング無線ネットワーク一時識別子
Ｄ２Ｄ  Ｄｅｖｉｃｅ−ｔｏ−Ｄｅｖｉｃｅ
ＤＡＩ  ダウンリンク割当てインデックス
ＤＡＳ  分散アンテナシステム
ＤＣ  直流
ＤＣＩ  ダウンリンク制御情報
ＤＩＭＭ  デュアルインラインメモリモジュール
ＤＬ  ダウンリンク
ＤＬ−ＳＣＨ  ダウンリンク共有チャネル
ＤＲＸ  間欠受信
ＤＳＰ  デジタル信号プロセッサ
ｅＭＢＢ  拡張モバイルブロードバンド
ｅＭＴＣ  拡張マシンタイプ通信
ｅＮＢ  拡張又はエボルブドノードＢ
ＥＰＲＯＭ  消去可能プログラマブル読出し専用メモリ
Ｅ−ＳＭＬＣ  エボルブドサービングモバイルロケーションセンタ
ＦＰＧＡ  フィールドプログラマブルゲートアレイ
ＧＨｚ  ギガヘルツ
ｇＮＢ  新無線基地局
ＧＰＳ  全地球測位システム
ＧＳＭ  モバイル通信用グローバルシステム
ＨＡＲＱ  ハイブリッド自動再送要求
ＨＤＤＳ  ホログラフィックデジタルデータストレージ
Ｉ／Ｏ  入出力
ＩｏＴ  物のインターネット
ＩＰ  インターネットプロトコル
ＬＡＮ  ローカルエリアネットワーク
ＬＴＥ  ロングタームエボリューション
Ｍ２Ｍ  Ｍａｃｈｉｎｅ−ｔｏ−Ｍａｃｈｉｎｅ
ＭＡＣ  媒体アクセス制御
ＭＡＮＯ  管理及びオーケストレーション
ＭＣＥ  マルチセル／マルチキャスト協調エンティティ
ＭＤＴ  ドライブ試験の最小化
ＭＩＭＯ  多入力多出力
ＭＭＥ  モビリティ管理エンティティ
ｍｓ  ミリ秒
ＭＳＣ  移動交換局
ＭＳＲ  マルチスタンダード無線
ＭＴＣ  マシンタイプ通信
ＮＡＣＫ  否定応答
ＮＢ−ＩｏＴ  狭帯域物のインターネット
ＮＦＶ  ネットワーク機能仮想化
ＮＩＣ  ネットワークインターフェースコントローラ
ＮＲ  新無線
Ｏ＆Ｍ  動作及びメンテナンス
ＯＦＤＭ  直交周波数分割多重
ＯＳＳ  動作サポートシステム
ＯＴＴ  オーバーザトップ
ＰＢＣＨ  物理ブロードキャストチャネル
ＰＣＨ  ページングチャネル
ＰＤＡ  個人情報端末
ＰＤＣＣＨ  物理ダウンリンク制御チャネル
ＰＤＳＣＨ  物理ダウンリンク共有チャネル
ＰＨＹ  物理
ＰＲＡＣＨ  物理ランダムアクセスチャネル
ＰＲＢ  物理リソースブロック
Ｐ−ＲＮＴＩ  ページング無線ネットワーク一時識別子
ＰＲＯＭ  プログラマブル読出し専用メモリ
ＰＳＭ  省電力モード
ＰＳＴＮ  公衆交換電話網
ＰＵＣＣＨ  物理アップリンク制御チャネル
ＰＵＳＣＨ  物理アップリンク共有チャネル
ＲＡＣＨ  ランダムアクセスチャネル
ＲＡＩＤ  独立ディスクの冗長アレイ
ＲＡＭ  ランダムアクセスメモリ
ＲＡＮ  無線アクセスネットワーク
ＲＡＲ  ランダムアクセス応答
ＲＡ−ＲＮＴＩ  ランダムアクセス無線ネットワーク一時識別子
ＲＡＴ  無線アクセス技術
ＲＢ  リソースブロック
ＲＦ  無線周波数
ＲＮＣ  無線ネットワークコントローラ
ＲＮＴＩ  無線ネットワーク一時識別子
ＲＯＭ  読出し専用メモリ
ＲＲＣ  無線リソース制御
ＲＲＨ  リモート無線ヘッド
ＲＲＵ  リモート無線ユニット
ＲＴＴ  ラウンドトリップタイム
ＲＵＩＭ  リムーバブルユーザＩＤモジュール
ＳＣＳ  サブキャリア間隔
ＳＤＲＡＭ  同期ダイナミックランダムアクセスメモリ
ＳＩＭ  加入者識別モジュール
ＳＩ−ＲＮＴＩ  システム情報無線ネットワーク一時識別子
ＳＬＩＶ  スロット長インジケータ値
ＳＯＣ  システムオンチップ
ＳＯＮ  自己最適化ネットワーク
ＳＯＮＥＴ  同期光ネットワーク
ＳＳ  同期信号
ＴＣＰ  送信制御プロトコル
ＴＰＣ  送信電力制御
ＴＳ  技術仕様書
ＵＥ  ユーザ機器
ＵＬ  アップリンク
ＵＭＴＳ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
ＵＲＬＬＣ  超高信頼低遅延通信
ＵＳＢ  ユニバーサルシリアルバス
Ｖ２Ｉ  Ｖｅｈｉｃｌｅ−ｔｏ−Ｉｎｆｒａｓｔｒｕｃｔｕｒｅ
Ｖ２Ｖ  Ｖｅｈｉｃｌｅ−ｔｏ−Ｖｅｈｉｃｌｅ
Ｖ２Ｘ  Ｖｅｈｉｃｌｅ−ｔｏ−Ｅｖｅｒｙｔｈｉｎｇ
ＶＭＭ  仮想マシンモニタ
ＶＮＥ  仮想ネットワークエレメント
ＶＮＦ  仮想ネットワーク機能
ＶｏＩＰ  ボイスオーバーインターネットプロトコル
ＶＲＢ  仮想リソースブロック
ＷＡＮ  ワイドエリアネットワーク
ＷＣＤＭＡ  広帯域符号分割多重化アクセス
ＷＤ  ワイヤレスデバイス
ＷｉＭａｘ  マイクロ波アクセスのための世界的相互運用性
ＷＬＡＮ  ワイヤレスローカルエリアネットワーク
【０２０８】
当業者であれば、本開示の実施形態に対する改善及び修正を認識するであろう。かかる改善及び修正はすべて、本明細書で開示する概念の範囲内にあると見なされる。
【図１】
2022502946.tif 000008
【図２】
2022502946.tif 000009
【図３】
2022502946.tif 000010
【図４】
2022502946.tif 000011
【図５】
2022502946.tif 000012
【図６】
2022502946.tif 000013
【図７】
2022502946.tif 000014
【図８】
2022502946.tif 000015
【図９】
2022502946.tif 000016
【図１０】
2022502946.tif 000017
【図１１】
2022502946.tif 000018
【図１２】
2022502946.tif 000019
【図１３】
2022502946.tif 000020
【図１４】
2022502946.tif 000021
【図１５】
2022502946.tif 000022
【図１６】
2022502946.tif 000023
【図１７】
2022502946.tif 000024
【図１８】
2022502946.tif 000025
【図１９】
2022502946.tif 000026
【図２０】
2022502946.tif 000027
【図２１】
2022502946.tif 000028
【図２２】
2022502946.tif 000029
【図２３】
2022502946.tif 000030
【国際調査報告】
2022502946.tif 000031
2022502946.tif 000032